(57)【要約】  フェースプレート、本体、及びインサートを有する、ゴルフクラブヘッドを有するツアーアイアンを本明細書に記載する。ソール部、トップレール部、リア部、及びフェースプレートは、本体内のキャビティを囲む。キャビティは、インサートを収容することができる。インサートは、低密度材料を含むことができ、ゴルフクラブヘッドの周縁の周りに重量を集中させることができる。ゴルフクラブヘッドのリア部は、ヒール部からトウ部まで延びる屈曲継ぎ目を有する。ゴルフクラブヘッドは、屈曲継ぎ目の上方に上部を有し、屈曲継ぎ目の下方に下部を有する。下部は、上部深さよりも深い深さを有することができる。フェースプレート、本体、及びインサートは、異なる密度を有する異なる材料で形成することができる。ゴルフクラブヘッドは、比較的高い慣性モーメント及び低い重心を有する。他の実施形態及び方法を本明細書に記載する。
2021514730.tif 000002
【特許請求の範囲】
【請求項１】
ゴルフクラブヘッドであって、
フェースプレートと、
上部、下部、ソール部、リア部、及びトップレール部を備える本体と、
インサートと、
を備え、
前記フェースプレート及び前記本体の一部は、前記ゴルフクラブヘッドの打撃面を画定し、
前記フェースプレート、前記ソール部、前記リア部、及び前記トップレール部はキャビティを囲み、
前記リア部は、屈曲継ぎ目を備え、
前記ソール部は、グランド面と接し、
ロフト面は、前記フェースプレートに対して接線方向であり、前記グランド面と交差し、
中心面は、前記グランド面に垂直であり、前記ロフト面に垂直であり、前記打撃面の中心と一致し、
前記上部は、前記トップレール部と前記屈曲継ぎ目とにより境界付けられ、
前記上部は、前記ロフト面に平行な方向において、前記トップレール部から前記屈曲継ぎ目まで、前記中心面に沿って測定される高さを含み、
前記下部は、前記ロフト面に平行な方向において、前記ソール部から前記屈曲継ぎ目まで、前記中心面に沿って測定される高さを含み、
前記上部の前記高さと前記下部の前記高さは、９：８から６：１１の範囲の比を有し、
前記上部は第１の深さを含み、前記下部は第２の深さを含み、これらの深さは、前記打撃面から前記リア部の外側面まで、前記中心面に沿って、前記ロフト面に対して垂直に測定され、
前記第１の深さは、一定であり、前記第２の深さより小さく、
前記ソール部、前記リア部、前記トップレール部、及び前記フェースプレートはキャビティを囲み
前記インサートは、前記キャビティ内に受け入れられ、前記インサートは前記キャビティの９０％以上を占め、
前記フェースプレートは、第１の密度を有する第１の材料を含み、
前記本体は、第２の密度を有する第２の材料を含み、
前記インサートは、第３の密度を有する第３の材料を含み、
前記第３の密度は、前記第１の密度及び前記第２の密度よりも小さい、
ゴルフクラブヘッド。
【請求項２】
前記ゴルフクラブヘッドは、さらに、
ヒール部と、
トウ部と、
前記ヒール部から前記トウ部への方向へ延在し、前記打撃面に対して平行であり、前記クラブヘッドの重心と一致するｘ軸と、
前記グランド面に直交し、前記重心と一致するｙ軸と、
を備え、
前記ｘ軸の周りで測定される慣性モーメントＩｘｘは、７８グラム平方インチから１２０グラム平方インチ（５０３グラム平方センチメートルから７７４グラム平方センチメートル）の範囲であり、
前記ｙ軸の周りで測定される慣性モーメントＩｙｙは、３１０グラム平方インチから４６６グラム平方インチ（２０００グラム平方センチメートルから３００６グラム平方センチメートル）の範囲である、
請求項１に記載のゴルフクラブヘッド。
【請求項３】
前記第３の密度は２．４ｇ／ｃｃから５．０ｇ／ｃｃ（２．４ｇ／立方センチメートルから５．０ｇ／立方センチメートル）の範囲である、
請求項１に記載のゴルフクラブヘッド。
【請求項４】
前記第３の材料は、アルミニウム及びチタンからなる群から選択される材料を含む、
請求項３に記載のゴルフクラブヘッド。
【請求項５】
前記第１の密度は２．６ｇ／ｃｃから８．７ｇ／ｃｃ（２．６ｇ／立方センチメートルから８．７立方センチメートル）の範囲であり、前記第２の密度は７．７ｇ／ｃｃから８．１ｇ／ｃｃ（７．７ｇ／立方センチメートルから８．１立方センチメートル）の範囲である、
請求項１に記載のゴルフクラブヘッド。
【請求項６】
前記第１の材料は、鋼ベース材料、チタンベース材料、アルミニウム合金、及びチタン合金からなる群から選択される材料を含み、
前記第２の材料は、鋼ベース材料及び鋼合金から成る群から選択される材料を含む、
請求項５に記載のゴルフクラブヘッド。
【請求項７】
前記ゴルフクラブヘッドは、さらに、
総質量と
トウウェイトと、
を備え、
前記本体は、さらに、トウキャビティを備え、
前記トウキャビティは、前記トウウェイトを受け入れ、
前記トウウェイトは、前記クラブヘッドの前記総質量の５％から４５％の範囲の質量を含む、
請求項１に記載のゴルフクラブヘッド。
【請求項８】
前記第１の深さと前記第２の深さの最大値との比は、１：３から４：５の範囲である、
請求項１に記載のゴルフクラブヘッド。
【請求項９】
前記ゴルフクラブヘッドは、さらに、
重心と、
前記グランド面に平行であり、ヒール部からトウ部への方向に延在し、前記打撃面上で最も低い前記中心面上の点と一致する前縁軸と、
前記グランド面に平行であり、前記前縁軸と一致する前縁面と
前記グランド面に直交し、前記重心と一致するy軸と、
を備え、
前記ゴルフクラブヘッドの前記重心は、０．３８０インチから０．６７０インチ（０．９６５センチメートルから１．７０センチメートル）の範囲で前記前縁面より上方に位置する、
請求項１に記載のゴルフクラブヘッド。
【請求項１０】
前記ゴルフクラブヘッドは、さらに、
ヒール部と、
トウ部と、
前記本体に一体化された円筒形ホーゼルと、
を備え、
前記円筒形ホーゼルは、
前記トウ側面から見たときに、前記円筒形ホーゼルの前縁に平行なホーゼル基準面と、
前記円筒形ホーゼルの中心軸として定義されるホーゼル軸と、
前記グランド面に平行であり、前記ヒール部から前記トウ部への方向に延在し、前記打撃面上で最も低い前記中心面上の点と一致する前縁軸と、
正面から見たときに、前記前縁軸と前記中心面との交点から、前記前縁軸と前記ホーゼル軸との交点まで測定されるホーゼル−Ｘ距離であって、１．５インチ（３．８センチメートル）未満である前記ホーゼル−Ｘ距離と、
前記前縁軸と前記ホーゼル基準面との間の最小距離として測定されるオフセット距離であって、０．０５インチから０．２７インチ（０．１３センチメートルから０．６９センチメートル）の範囲である前記オフセット距離と、
を備える、
請求項１に記載のゴルフクラブヘッド。
【請求項１１】
前記ゴルフクラブヘッドは、さらに、
ヒール部と、
トウ部と、
前記ヒール部から前記トウ部の方向において、前記ヒール部における前記打撃面の縁から前記トウ部の最外側の点まで測定されるブレード長さと、
を備え、
前記ブレード長さは２．８インチ（７．１センチメートル）未満である、
請求項１に記載のゴルフクラブヘッド。
【請求項１２】
前記ゴルフクラブヘッドは、前記インサートと前記フェースプレートとの間に配置される高密度テープを備える、
請求項１に記載のゴルフクラブヘッド。
【請求項１３】
前記本体は、窪みをさらに備え、
前記窪みは前記キャビティの周囲に当接し、
前記フェースプレートのリア面の領域は、前記インサートに接触し、
前記フェースプレートの前記リア面の残りの領域は、前記窪みに接触する、
請求項１に記載のゴルフクラブヘッド。
【請求項１４】
ゴルフクラブヘッドの製造方法であって、
（１）第１の密度を有する第１の材料を含むフェースプレートを提供することと、
（２）第２の密度を有する第２の材料と、上部と、下部と、ソール部と、リア部と、トップレール部と、を備える本体を提供することと、を含み、
前記フェースプレート及び前記本体の一部は、前記ゴルフクラブヘッドの打撃面を画定し、
前記リア部は、屈曲継ぎ目を備え、
前記ソール部は、グランド面と接し、
ロフト面は、前記フェースプレートに対して接線方向であり、前記グランド面と交差し、
中心面は、前記グランド面に垂直であり、前記トップレール部から前記ソール部への方向に延在し、前記打撃面の中心点と一致し、
前記上部は、前記トップレール部と前記屈曲継ぎ目とによって境界付けられ、
前記上部は、前記ロフト面に平行な方向において、前記トップレール部から前記屈曲継ぎ目まで、前記中心面に沿って測定される高さを含み、
前記下部は、前記ロフト面に平行な方向において、前記ソール部から前記屈曲継ぎ目まで、前記中心面に沿って測定される高さを含み、
前記上部の前記高さと前記下部の前記高さは、９：８とから６：１１の範囲の比を有し、
前記上部は第１の深さを含み、前記下部は第２の深さを含み、これらの深さは、前記打撃面から前記リア部の外側面まで、前記中心面に沿って、前記ロフト面に対して垂直に測定され、
前記第１の深さは、一定であり、前記第２の深さより小さく、
前記ソール部、前記リア部、及び前記トップレール部は、キャビティを画定し、
前記製造方法は、さらに、
（３）前記第１の密度及び前記第２の密度よりも小さい第３の密度を有する第３の材料を含むインサートを提供することと、
（４）前記キャビティ内に前記インサートを配置することであって、前記インサートは前記キャビティの９０％以上を占める、前記配置することと、
（５）前記フェースプレートを前記本体に固定することであって、前記フェースプレートは前記キャビティをさらに画定する、前記固定することと、
を含む、
ゴルフクラブヘッドの製造方法。
【請求項１５】
前記（５）における前記フェースプレートを前記本体に固定することは、
前記フェースプレートを前記本体へ加締める（ｓｗｅｄｇｉｎｇ）ことと、
前記フェースプレートと前記本体との境界をレーザー溶接することと、
を含む、
請求項１４に記載のゴルフクラブヘッドの製造方法。
【請求項１６】
前記フェースプレートと前記本体との前記境界をレーザー溶接することは、
０．０７０インチ（０．１７８センチメートル）未満の深さを含む熱影響部を生成することを含む、
請求項１５に記載のゴルフクラブヘッドの製造方法。
【請求項１７】
前記ゴルフクラブヘッドは、さらに、
ヒール部と、
トウ部と、
前記ヒール部から前記トウ部の方向に延在し、前記打撃面に対して平行であり、前記クラブヘッドの重心と一致するｘ軸と、
前記グランド面に直交し、前記重心と一致するｙ軸と、
を備え、
前記ｘ軸の周りで測定される慣性モーメントＩｘｘは、７８グラム平方インチから１２０グラム平方インチ（５０３グラム平方センチメートルから７７４グラム平方センチメートル）の範囲であり、
前記ｙ軸の周りで測定される慣性モーメントＩｙｙは、３１０グラム平方インチから４６６グラム平方インチ（２０００グラム平方センチメートルから３００６グラム平方センチメートル）の範囲である、
請求項１５に記載のゴルフクラブヘッドの製造方法。
【請求項１８】
前記製造方法は、さらに、
前記（４）と前記（５）との間に、前記インサート上にテープ層を配置することを含み、
前記テープ層は、前記（５）の完了時に、前記インサートと前記フェースプレートとの間に挟まれる、
請求項１４に記載のゴルフクラブヘッドの製造方法。
【請求項１９】
前記製造方法は、さらに、
前記本体に一体化された円筒形ホーゼルを形成することを含み、
前記ゴルフクラブヘッドは、さらに、
ヒール部と、
トウ部と、
を備え、
前記円筒形ホーゼルは、
前記トウ部側から見たときに、前記円筒形ホーゼルの前縁に平行なホーゼル基準面と、
前記円筒形ホーゼルの中心軸として定義されるホーゼル軸と、
前記グランド面に平行であり、前記ヒール部から前記トウ部の方向に延在し、前記打撃面上で最も低い前記中心面上の点と一致する前縁軸と、
正面から見たときに、前記前縁軸と前記中心面との交点から、前記前縁軸と前記ホーゼル軸との交点まで測定されるホーゼル−Ｘ距離であって、１．５インチ（３．８センチメートル）未満である前記ホーゼル−Ｘ距離と、
前記前縁軸と前記ホーゼル基準面との間の最小距離として測定されるオフセット距離であって、０．０５インチから０．２７インチ（０．１３センチメートルから０．６９センチメートル）の範囲である前記オフセット距離と、
を備える、
請求項１４に記載のゴルフクラブヘッドの製造方法。
【請求項２０】
前記ゴルフクラブヘッドは、総質量を有し、
前記本体は、さらに、トウキャビティを備え、
前記製造方法は、さらに、
トウウェイトを形成することであって、前記トウウェイトは、前記ゴルフクラブヘッドの前記総質量の５％から４５％の範囲の質量を含む、前記形成することと、
前記トウウェイトを前記トウキャビティ内に固定することと、
を含む、
請求項１４に記載のゴルフクラブヘッドの製造方法。
【発明の詳細な説明】
【技術分野】
【０００１】
（関連出願への相互参照）
本願は、平成３０年２月２６日に出願された米国仮特許出願第６２／６３５，０２０号、平成３０年８月１日に出願された米国仮特許出願第６２／７１３，４２４号、及び平成３０年１１月１６日に出願された米国仮特許出願第６２／７６８，５４３号の優先権の利益を主張し、これらの全ての内容は、参照により本明細書に組み込まれる。
【０００２】
本開示は、一般に、ゴルフ用具に関し、より詳細には、多材料アイアンゴルフクラブヘッド、及び前記ゴルフクラブヘッドを製造する方法に関する。
【背景技術】
【０００３】
典型的には、アイアンタイプゴルフクラブヘッドは、マッスルバック、キャビティバック、又はツアーアイアン等の様々なスタイルを含む。低ハンディキャップを有する技術力の高いゴルファーは、小型で美的に滑らかなツアーアイアンを好む。ツアーアイアンは、ロフトが高く、重心（以下、「ＣＧ」）が低く、シャフトの長さが短く、輪郭が小さく、トップラインが薄い。ツアーアイアンは、一般に、美しく、古典的な外観を有し、好ましい音を有する。鍛造されたツアーアイアンは、特に、ギプスアイアンのような他のタイプのアイアンよりも改善された「感触」を提供し、美的な視線を提供すると考えられる。一般的に、ツアープレイヤーのような低ハンディキャップのゴルファーは、ＣＧが低く、クラブの面に近いアイアンタイプのクラブヘッドを望んでいる。ツアーアイアンは、直線飛行のためのスイートスポットがより小さいため、ゴルフボールに衝突するクラブフェースの部分を操作することによって、これらのゴルファーがショットをさらに決めることを可能にする。高ハンディキャップのゴルファーが効果的に使用することは難しいが、ツアーアイアンは、高度に熟練し、かつ、しばしば低いハンディキャップのゴルファーに対するニッチな需要を満たす。
【０００４】
一方、ゲームインプルーブメントアイアンは、アイアンの寛容性の向上とロフトの向上を望む高ハンディキャップのゴルファーに対応するように設計されているのが典型的である。高ハンディキャップゴルファーは、より高い慣性モーメント（ＭＯＩ）を有するアイアンタイプクラブヘッドをプレイする傾向があり、高ＭＯＩはクラブヘッドに対してより多くの寛容性を与える。ディープキャビティバック、マッスルバック、又は中空本体アイアン等のゲームインプルーブメントアイアンは、周辺重み付けを可能にし、周辺重み付けはクラブヘッドの寛容性を増加させ、フェースが曲がる余地を有するために、より大きな飛距離をもたらす。しかしながら、ゲームインプルーブメントアイアンは、当然のことながら、中実の本体のツアーアイアンのような「感触」ではなく、従来の中実のアイアンに慣れているゴルファーには純粋ではないように感じ得る。ゲームインプルーブメントアイアンは、大きな外形を有し、かさばった感触をもたらす。このようなゲームインプルーブメントアイアンは、また、厚いトップラインや、多くのゴルファーがあまり美的でないと考えている他の形状の特徴を持ち得る。本明細書に記載されるゴルフクラブヘッドは、ゲームインプルーブメントアイアンとツアーアイアンの両方の利益を共有するクラブを望むゴルファーの望みを満たす。
【０００５】
本技術分野では、中程度から低いハンディキャップのプレーヤーが使用することができる、従来のゲームインプルーブメントアイアンの高い慣性モーメント及び周辺重み付けを犠牲にすることなく、従来のツアーアイアンの小型な大きさ及び中実な感触及び音を有するクラブヘッドが必要とされている。
【図面の簡単な説明】
【０００６】
【図１】第１の実施形態によるゴルフクラブヘッドの分解斜視図を示す。
【０００７】
【図２】図１のゴルフクラブヘッドの正面図を示す。
【０００８】
【図３】図１のゴルフクラブヘッドの背面図を示す。
【０００９】
【図４】図１のゴルフクラブヘッドのトウ側面図を示す。
【００１０】
【図５】図３のＶ−Ｖ線に沿った、図１のゴルフクラブヘッドのトウ側断面図を示す。
【００１１】
【図６】多材料インサートを備えた第１の実施形態による、図３のＶ−Ｖ線に沿った、図１のゴルフクラブヘッドのトウ側断面図を示す。
【００１２】
【図７】多材料インサートを備えた第２の実施形態による、図３のＶ−Ｖ線に沿った、図１のゴルフクラブヘッドのトウ側断面図を示す。
【００１３】
【図８】多材料インサートを備えた第３の実施形態による、図３のＶ−Ｖ線に沿った、図１のゴルフクラブヘッドのトウ側断面図を示す。
【００１４】
【図９】多材料インサートを備えた第４の実施形態による、図３のＶ−Ｖ線に沿った、図３のゴルフクラブヘッドのトウ側断面図を示す。
【００１５】
【図１０】リア部棚を有する実施形態による、ゴルフクラブヘッドのトウ側断面図を示す。
【００１６】
【図１１】ロフト平面から９０度の角度をなすリア部棚を有する実施形態による、ゴルフクラブヘッドのトウ側断面図を示す。
【００１７】
【図１２】テープ層を含む、図３のＶ−Ｖ線に沿った、図１のゴルフクラブヘッドのトウ側断面図を示す。
【００１８】
【図１３】トウキャビティ及びトウウェイトの分解図を含む、図１のゴルフクラブヘッドの後方斜視図を示す。
【００１９】
【図１４】第２の実施形態によるゴルフクラブヘッドの分解図を示す。
【００２０】
【図１５】図１４のゴルフクラブヘッドの背面図を示す。
【００２１】
【図１６】図１５のＸＶＩ−ＸＶＩ線に沿った、図１４のゴルフクラブヘッドのヒール側断面図を示す。
【００２２】
【図１７】図１４のゴルフクラブヘッドの本体の正面斜視図を示す。
【００２３】
【図１８】図１４のゴルフクラブヘッドの後方斜視図を示す。
【００２４】
【図１９】図１５のＸＶＩ−ＸＶＩ線に沿った、図１４のゴルフクラブヘッドのヒール側断面図を示す。
【００２５】
【図２０】部分充填インサートを有する第１の実施形態による、図１５のＸＶＩ−ＸＶＩ線に沿った、図１４のゴルフクラブヘッドのヒール側断面図を示す。
【００２６】
【図２１】部分充填インサートを有する第２の実施形態による、図１５のＸＶＩ−ＸＶＩ線に沿った、図１４のゴルフクラブヘッドのヒール側断面図を示す。
【００２７】
【図２２】部分充填インサートを有する第３の実施形態による、図１５のＸＶＩ−ＸＶＩ線に沿った、図１４のゴルフクラブヘッドのヒール側断面図を示す。
【００２８】
【図２３】部分充填インサートを有する第４の実施形態による、図１５のＸＶＩ−ＸＶＩ線に沿った、図１４のゴルフクラブヘッドのヒール側断面図を示す。
【００２９】
【図２４】図１のゴルフクラブヘッドの製造方法を示す。
【００３０】
【図２５】図１４のゴルフクラブヘッドの製造方法を示す。
【発明を実施するための形態】
【００３１】
ツアーアイアンは、その大きさ及び外観の両方によってゲームインプルーブメントアイアンとは視覚的に区別されることが、ゴルフに精通した人々によってよく理解されている。従って、ツアーアイアンは、ゲームインプルーブメントアイアンとは異なる設計要件を備える。本明細書に記載されるゴルフクラブは、ゲームインプルーブメントアイアンの機能的利点を保持しながら、ツアースタイルアイアンの市場需要を満たす。
【００３２】
具体的には、本明細書に記載されるゴルフクラブヘッドは、ツアーアイアンの美的に魅力的な特徴（例えば、小型な大きさ、鍛造、中実な感触）、及びゲームインプルーブメントアイアンの性能利点（例えば、周囲の重み付け及び高い寛容性）を併せ持つ。キャビティを形成する本体を有するゴルフクラブヘッドが本明細書に記載され、インサートはキャビティ内に嵌合することができ、キャビティは、本体のリア部のキャップによって、又は本体のフェースプレートによって囲まれる。従って、ゴルフクラブヘッドは、中級又は初級のスキルゴルファーが技術レベルに対して可能な限り正確なショットを行うために必要な寛容性の水準を維持しつつ、ツアースタイルを有するアイアンクラブをゴルファーに提供する。一般に、ツアーアイアンは、高度に熟練したゴルファー又は低ハンディキャップから中程度のハンディキャップのプレーヤーのために設計され、一方、ゲームインプルーブメントアイアンは、高度のハンディキャップ（１０を超える）も有する、低スキルから中程度のスキルレベルのゴルファーのために設計される。本説明のゴルフクラブヘッドは、従来のツアーアイアンを使用するスキルを欠いた、一連のツアーアイアンで遊びたいと願うゴルファーのための選択肢を提供する。
【００３３】
さらに、ゴルフクラブヘッドは、高度に熟練したゴルファーに、高ＭＯＩ設計を通して、ショットの精度を高めることを望む選択肢を提供する。本明細書に記載のゴルフクラブヘッドは、特定のゲームインプルーブメントアイアン又は標準アイアンよりも低いＭＯＩを備えることができるが、それにもかかわらず、クラブヘッドは、同じカテゴリー内の他のゴルフクラブヘッド、即ちツアーアイアン又は小型アイアンよりも高いＭＯＩを備える。さらに、開示されたゴルフクラブヘッドは、高スキルゴルファーにとって望ましい低いＣＧを提供する。本明細書に記載されるゴルフクラブヘッドは、これらの実施形態によって例示され得るが、これらに限定されない。
【００３４】
ゴルフクラブヘッドは、フェースプレートをゴルフクラブヘッドの本体上に加締めること（ｓｗｅｄｇｉｎｇ）（スエージすること（ｓｗａｇｇｉｎｇ））を含む方法によって製造することができる。表面融着処理プロセスにおいて、加締め後のフェースプレートと本体の間の境界をレーザー溶接することができる。インサートは、加締めやレーザー溶接によって損傷を受けない。
【００３５】
説明を簡単かつ明確にするために、図面は、一般的な構成方法を示し、周知の特徴及び技法の説明及び詳細は、本開示を不必要に曖昧にすることを避けるために省略され得る。さらに、図面中の要素は、必ずしも一定の縮尺で描かれていない。例えば、図中の幾つかの要素の寸法は、本開示の実施形態の理解を改善するのを助けるために、他の要素に対して誇張されていることがある。異なる図面における同じ参照番号は、同じ要素を示す。
【００３６】
本明細書では、中空ゴルフクラブヘッド、又は部分的に／ほぼ中空のゴルフクラブヘッドを有するゴルフクラブが記載され、その各々のゴルフクラブヘッドは、低密度インサートを備える（中空ゴルフクラブヘッド又は部分的に／ほぼ中空のゴルフクラブヘッドは、以下、「ゴルフクラブヘッド」と呼ばれる）。ゴルフクラブは、ゴルフクラブヘッドと、シャフトと、グリップとを備える。ゴルフクラブヘッドは、ホーゼルと、フロント部と、リア部と、トップレール部と、ソール部とを備える本体を備える。本体は、キャビティを備えることができる。フェースプレート、ソール部、リア部、及びトップレール部は、キャビティを囲んでいる。幾つかの実施形態では、ゴルフクラブヘッドのキャビティは、フェースプレートによってフロント部から囲まれることができる。幾つかの実施形態では、キャビティは、クラブのリア部で開くことができ、キャビティを部分的に露出させる。インサートは、キャビティ内に嵌合することができる。ゴルフクラブヘッドのフロント部は、キャビティをフロント部から取り囲むフェースプレートをさらに備えることができる。
【００３７】
本明細書に記載されるゴルフクラブヘッドの一実施形態は、キャビティを形成する本体と、低密度インサートとを含み、キャビティは、ゴルフクラブヘッドのフロント部に向かって開口する。本体は、クラブヘッドの中心に形成された内部キャビティを有する。本体は鋳造又は鍛造することができる。キャビティは、低密度インサートを受け入れ、収容することができる。
【００３８】
ゴルフクラブヘッドは、低密度中心、高密度周辺部、及び、前述のように、重量を周辺部に移動させるための低密度インサートを有し、それによって、全体的な寛容性が向上される。インサートは、アルミニウム、チタン、又は複合材料等の低密度材料を含む。中実インサートでキャビティを充填することにより、他の同様の中空本体アイアンよりもゴルフクラブヘッドの音響及び感触が向上される。幾つかの実施形態では、インサートをキャビティ内にさらに固定し、がたつきを防止するために、接着剤及び／又はテープが用いられる。
【００３９】
フェースプレートは、ゴルフクラブヘッドのフロント開口を取り囲み、キャビティを形成する。フェースプレートの固定には、加締め、圧入、その他の低温方法が使用される。ＴＩＧ溶接は使用しない。幾つかの実施形態では、レーザー溶接は非常に精密であり、インサート、テープ、及び／又は接着剤に影響を及ぼす大きな熱影響部（以下、「ＨＡＺ」という）を生じないので、フェースプレートは、レーザー溶接によってさらに本体に固定することができる。フェースプレートがゴルフクラブヘッド本体のフロント部にＴＩＧ溶接される場合、インサート、テープ、及び／又は接着剤は、高温に曝され、損傷を受け、それによってインサートの重量分布を損ない、かつ、テープ及び／又は接着剤の材料特性を損なう。
【００４０】
ゴルフクラブヘッドの高密度周辺部は、ホーゼル内のトウウェイト及び／又はチップウェイトによっても達成することができる。幾つかの実施形態では、本体は、トウキャビティをさらに備えることができる。トウウェイトはトウキャビティ内に取り付けることができる。トウウェイトは、タングステン等の高密度材料を含む。さらに、幾つかの実施形態では、ゴルフクラブヘッドは、スイングウェイティングのためのトウスクリューウェイトを備えることができる。
【００４１】
ゴルフクラブヘッドの第２の実施形態では、本体のキャビティは、リア部の上部の開口部を介して露出される。第１の実施形態と同様に、第２の実施形態のゴルフクラブヘッドは、本体及び低密度インサートを備える。本体は鋳造又は鍛造することができる。本体は、本体の上部にリア開口を備える。低密度インサートは、本体のキャビティ内に収容される。この実施形態では、インサートは、熱可塑性複合材料、発泡材料、又は他の充填減衰材料等、キャビティ内に注入することができる材料を含む。
【００４２】
ゴルフクラブヘッドは、キャビティの前方境界を形成するフェースプレートをさらに備える。射出成形プロセスは、本体のキャビティ内に低密度インサートを形成することができる。ゴルフクラブヘッドは、周辺重み付けのために、本体のトウキャビティ内にトウウェイトを、及び／又はホーゼル内にチップウェイトをさらに含むことができる。さらに、ゴルフクラブヘッドは、スイングウェイティングのためのトウスクリューウェイトを含むことができる。
【００４３】
説明及び特許請求の範囲において、用語「第１の」、「第２の」、「第３の」、「第４の」等は、もしあれば、類似の要素を区別するために使用され、必ずしも特定の順序又は時系列順序を説明するために使用されるわけではない。そのように使用される用語は、適切な状況下で交換可能であり、例えば、本明細書で説明される実施形態は、本明細書で図示される又は別の方法で説明される順序以外の順序で作用することができることを理解されたい。さらに、用語「含む」、「有する」、及びその任意の変形は、要素のリストを備えるプロセス、方法、システム、物品、デバイス、又は装置等の非排他的包含を意図しているが、必ずしもそれらの要素に限定されず、そのようなプロセス、方法、物品、システム、及び装置に対して、明確に挙げられていないあるいは固有の他の要素を含んでいてもよい。
【００４４】
明細書及び特許請求の範囲における用語「前」、「後（ｂａｃｋ）」、「後（ｒｅａｒ）」、「上」、「下」等は、もしあれば、説明の目的で使用され、必ずしも恒久的な相対位置を説明するために使用されるわけではない。そのように使用される上記の用語は、本明細書で説明される装置、方法、及び／又は製品の実施形態が、例えば、本明細書で図示されるか、又は他の方法で説明されるもの以外の他の配向でも作用することができるように、適切な状況下で交換可能であることを理解されたい。
【００４５】
用語「結合する」及び同様の用語は、広く理解されるべきであり、機械的及び／又は他の方法で、二つあるいはそれ以上の要素を接続することを言及する。例えば、二つあるいはそれ以上の機械的要素は、機械的に結合されてもよいが、電気的に結合されていなくてもよいし、そうでなければ結合されていなくてもよい。結合は、任意の長さの時間、例えば、永久的又は半永久的であってもよく、又は一瞬だけであってもよい。
【００４６】
本明細書に記載のＭＯＩという用語は、角加速度に抵抗する本体の傾向を表す量とすることができる。ＭＯＩは、角度質量又は回転慣性としても知られている。ＭＯＩは、回転軸を中心とする所望の角加速度を達成するのに必要なトルクを決定する。より高いＭＯＩはクラブヘッドをより寛容にする。つまり、ゴルフボールが中央から外れた打撃面の一部で打たれた場合でも、ゴルファーはより一貫したショットに気付くだろう。ＭＯＩは、ゴルフクラブヘッドの中心から離れて、及びゴルフクラブヘッドの周囲に向かって、重量を移動させることによって上昇する。ＭＯＩを増加させるため、望ましいゴルフクラブヘッド全体の重量を維持するために、ゴルフクラブヘッドの中心は、キャビティ又はメインゴルフクラブヘッドよりも軽い材料のいずれかを含まなければならない。
【００４７】
本明細書に記載されるゴルフクラブの形態は、一組のアイアン内の一つあるいは複数のゴルフクラブに適用されてもよい。幾つかの実施形態では、そのアイアンの組は、変動するクラブヘッドサイズ、シャフト長さ、ライ角度、ロフト角度、ヘッド重量、及び／又は他のパラメータを有するアイアンを含む。アイアンの組の各クラブヘッドは、１から１０の範囲の数で慣例に従って番号付けすることができる。最も一般的には、セットは３から９の番号が付けられる。さらに、アイアンの組は、番号付けされたアイアンよりも高いロフト角を有する一つ以上のウェッジを含むことができる。
【００４８】
幾つかの実施形態では、ゴルフクラブヘッドはウェッジであり得る。多くの実施形態では、ゴルフクラブヘッドのロフト角は、約５０度未満、約４９度未満、約４８度未満、約４７度未満、約４６度未満、約４５度未満、約４４度未満、約４３度未満、約４２度未満、約４１度未満、又は約４０度未満である。さらに、多くの実施形態では、ゴルフクラブヘッドのロフト角は、約１６度よりも大きく、約１７度よりも大きく、約１８度よりも大きく、約１９度よりも大きく、約２０度よりも大きく、約２１度よりも大きく、約２２度よりも大きく、約２３度よりも大きく、約２４度よりも大きく、又は約２５度よりも大きい。
【００４９】
多くの実施形態では、ゴルフクラブヘッドのロフト角は、約６４度未満、約６３度未満、約６２度未満、約６１度未満、約６０度未満、約５９度未満、約５８度未満、約５７度未満、約５６度未満、約５５度未満、又は約５４度未満である。さらに、多くの実施形態では、ゴルフクラブヘッドのロフト角は、約４６度よりも大きく、約４７度よりも大きく、約４８度よりも大きく、約４９度よりも大きく、約５０度よりも大きく、約５１度よりも大きく、又は約５２度よりも大きい。
【００５０】
多くの実施形態では、ゴルフクラブヘッドは、１．９立方インチから２．７立方インチの範囲の総体積を備えることができる。幾つかの実施形態では、ゴルフクラブヘッドの総体積は、１．９立方インチから２．４立方インチ、２．０立方インチから２．５立方インチ、２．１立方インチから２．６立方インチ、２．２立方インチから２．７立方インチ、２．３立方インチから２．７立方インチ、又は２．４立方インチから２．７立方インチの範囲とすることができる。他の実施形態において、ゴルフクラブヘッド１００の総体積は、１．９立方インチ、２．０立方インチ、２．１立方インチ、２．２立方インチ、２．３立方インチ、２．４立方インチ、２．５立方インチ、２．６立方インチ、又は２．７立方インチとすることができる。
【００５１】
多くの実施形態では、ゴルフクラブヘッドは、２００グラムから３００グラムの範囲の総質量を含むことができる。幾つかの実施形態では、ゴルフクラブヘッドは、２００グラムから２１０グラム、２１０グラムから２２０グラム、２２０グラムから２３０グラム、２３０グラムから２４０グラム、２４０グラムから２５０グラム、２５０グラムから２６０グラム、２５５グラムから２６０グラム、２６０グラムから２７０グラム、２６５グラムから２７５グラム、２７０グラムから２８０グラム、２７５グラムから２８０グラム、又は２５０グラムから２７０グラムの範囲とすることができる。他の実施形態では、総質量は、２００グラム、２０５グラム、２１０グラム、２２０グラム、２２５グラム、２３０グラム、２３５グラム、２４０グラム、２４５グラム、２５０グラム、２５５グラム、２６０グラム、２６５グラム、２７０グラム、２７５グラム、２８０グラム、２８５グラム、２９０グラム、２９５グラム又は３００グラムとすることができる。
【００５２】
本明細書に記載されるゴルフクラブヘッドは、アドレス位置にある間、様々な視点から見ることができ、これには、正面図、背面図、トウ側面図、ヒール側面図、上面図、ソール側面図、及び様々な斜視図が含まれるが、これらに限定されない。例えば、ゴルフクラブヘッド１００の正面図は、グランド面１０に平行な、ロフト面２０の前方の方向からクラブヘッドを見る。ゴルフクラブヘッド１００の背面図は、グランド面１０に平行な、リア部１０３の後方の方向からクラブヘッドを見る。ゴルフクラブヘッド１００のトウ側面図は、グランド面１０に平行なトウ部からヒール部の方向からクラブヘッドを見る。ゴルフクラブヘッド１００のヒール側面図は、グランド面１０に平行なヒール部からトウ部方向からクラブヘッドを見る。ゴルフクラブヘッド１００のソール側面図は、グランド面１０に直交するソール部からトップ部への方向からクラブヘッドを見る。ゴルフクラブヘッド１００の上面図は、グランド面１０に直交するトップ部からソール部の方向からクラブヘッドを見る。
【００５３】
Ｉ.インサート及び囲むフェースプレートを有するゴルフクラブヘッド
ここでは、ゴルフクラブヘッド１００について説明する。ゴルフクラブヘッド１００は、上述したように、寛容性を備えたツアースタイルのゴルフクラブヘッドとすることができる。ゴルフクラブヘッド１００は、インサートを収容するキャビティを有する本体を備えることができる。ゴルフクラブヘッドは、フェースプレートと、本体と、インサートとを備える。本体は、上部と、下部と、ソール部と、リア部と、トップレール部とを備える。リア部は、屈曲継ぎ目をさらに備えることができる。屈曲継ぎ目は、ゴルフクラブヘッドの上部と下部の間の境界である。フェースプレート及び本体の一部は、ゴルフクラブヘッドの打撃面を画定する。フェースプレート、ソール部、リア部、及びトップレール部は、キャビティを囲んでいる。
【００５４】
本体のキャビティは、ゴルフクラブヘッドのフロント部に向かって開口し、フェースプレートによって囲まれている。フェースプレートは、本体へ加締め、あるいはレーザー溶接することができる。クラブヘッドは、ツアーアイアンクラブヘッドであり、１．８立方インチから２．７立方インチ（３０立方センチメートル（ｃｃ）から４５ｃｃ）の範囲の体積を有する。ゴルフクラブヘッドの本体は、金属材料から鋳造又は鍛造することができる。
【００５５】
インサートは、低密度材料を含み、ゴルフクラブヘッドの本体によって形成されたキャビティを充填する。ゴルフクラブヘッドの中心の質量を減少させることは、ゴルフクラブヘッドの慣性モーメント値を増加させるために、その周辺に余分な質量を集中させることを可能にする。上述のように、ゴルフクラブヘッドは、下部及び上部を備える。下部は、上部よりも大きい深さを備える。これにより、下部は、周辺のヒール端部、トウ端部、及びソール部に集中したより多くの質量を有する。本体の質量を下げるとＣＧが低くなり、それは打ち上げ角度が増し、スピンが減少する。上記で説明したように、周辺重み付けからの比較的高い慣性モーメントと、質量の低い位置に由来する低いＣＧとで、ツアーアイアンサイジングを結合するアイアンが、本技術分野で必要とされている。幾つかの実施形態では、ホーゼル内に配置されたチップウェイト及び／又は本体のトウキャビティ内に配置されたトウウェイトは、付加的な周辺重み付けを提供する。
【００５６】
図１〜図１３を参照すると、上述のように、ゴルフクラブヘッド１００は、フェースプレート１５５、本体１１０、及びインサート１４０を備える。本体１１０は、上部１０８、下部１０９、ソール部１０７、リア部１０３、トウ部１０１、ヒール部１０２、及びトップレール部１０６をさらに備えてもよい。フェースプレート１５５及び本体の一部は、打撃面１１１を画定してもよい。フェースプレート１５５、ソール部１０７、リア部１０３、及びトップレール部１０６は、キャビティ１２０を囲んでいる。上部１０８は、トップレール部１０６によって境界が定められている。下部１０９は、ソール部１０７によって境界が定められている。リア部１０３は、屈曲継ぎ目１３０を含んでいてもよい。屈曲継ぎ目１３０は、ゴルフクラブヘッドのトウ部１０１からヒール部１０２まで延びることができる。屈曲継ぎ目１３０は、上部１０８をトップレール部１０６と境界付ける。屈曲継ぎ目１３０は、下部１０９をソール部１０７と境界付ける。屈曲継ぎ目１３０は、後述するように、均一な上部深さ１１６の端部を目立たせる。図４〜図１２に示すように、屈曲継ぎ目１３０は、トウ側面視において、トップレール部からソール部方向に取られた任意の断面図における、屈曲点として描かれている。
【００５７】
図２及び図３に示すように、グランド面１０は、ゴルフクラブがアドレス位置にあるときに、グランドの基準となる。図４に示すように、ロフト面２０は、打撃面１１１に平行である。図２に示すように、中心面４５は、グランド面１０に垂直であり、ロフト面２０に垂直であり、打撃面１１１の中心点８０と一致する。図２及び図４に示すように、ゴルフクラブヘッド１００は、ゴルフクラブヘッド１００のＣＧ６０を中心とする座標系を有することができる。後述するゴルフクラブヘッド６００は、同様の座標軸を有することができる。ｘ軸３０の基準軸は、トウ部からヒール部方向に、ＣＧ６０を通って延びている。ｘ軸３０は、打撃面１１１と平行である。ｙ軸４０の基準軸は、トップレール部からソール部方向に、ＣＧ６０を通って延びている。ｙ軸４０は、ゴルフクラブヘッド１００がアドレス位置にあるとき、グランド面１０に直交する。ｚ軸５０の基準軸は、フロント部からリア部方向に、ＣＧ６０を通って延びている。ｚ軸５０は、グランド面１０に平行であり、ｘ軸３０及びｙ軸４０に垂直である。さらに、ホーゼル軸７０の基準軸は、ホーゼル１０５の同心中心を通って延びている。前縁軸３５は、グランド面１０に平行であり、ヒール部からトウ部への方向に延在し、打撃面１１１の中心に沿ってほぼ平面の打撃面１１１上で最も低い点と一致する。前縁面は、前縁軸３５と一致し、グランド面１０と平行である。
【００５８】
１）ゴルフクラブヘッドの上部及び下部
図４及び図５に示すように、ゴルフクラブヘッド１００は、上部１０８及び下部１０９とを含む。上述したように、上部１０８は、屈曲継ぎ目１３０によって下部１０９から分離されることができる。リア部１０３の上部１０８は、均一な深さ１１６を有することができる。リア部１０３は、上壁１３１及び下壁１３２とを備える。ロフト面２０に実質的に平行にとどまることによって、リア部１０３の上壁１３１は、ゴルフクラブヘッド１００の上部１０８における均一な深さ１１６を可能にする。屈曲継ぎ目１３０において、リア外形は、ゴルフクラブヘッド１００の上部１０８と下部１０９との間を移行し、ゴルフクラブヘッド１００の深さにおいて変化をもたらす。この深さの変化は、後述するように、上部１０８よりも大きい深さ１１８を有する下部１０９につながる。下部１０９の深さが深いほど、ゴルフクラブヘッド１００のＣＧを低下させ、打ち上げ特性を向上するのに有益である。
【００５９】
ゴルフクラブヘッド１００のリア部１０３のこの外形は、平坦なリア部設計を有するゴルフクラブヘッドよりも、ゴルフクラブヘッド１００において質量を低く配置することを可能にする。クラブヘッド内で質量を下げることによって、ＣＧが下げられる。これは、ゴルフクラブヘッド１００によるインパクト時の、ゴルフボールの向上されたボール打ち上げ及びスピン特性を可能にする。ＣＧ位置の完全な利点は、以下の例３で提供されるように、平坦なリア部を有するゴルフクラブヘッドとの比較によって最も良く理解される。幾つかの実施形態では、ゴルフクラブヘッド１００は、フラットバックの比較ゴルフクラブヘッドのＣＧよりも、０．０３０インチから０．０５０インチの範囲で低いＣＧを含むことができる。幾つかの実施形態において、ＣＧは０．０３０インチから０．０３２インチ、０．０３２インチから０．０３４インチ、０．０３４インチから０．０３６インチ、０．０３６インチから０．０３８インチ、０．０３８インチから０．０４０インチ、０．０４０インチから０．０４２インチ、０．０４２インチから０．０４４インチ、０．０４４インチから０．０４６インチ、０．０４６インチから０．０４８インチ、又は０．０４８インチから０．０５０インチの範囲で低下する。
【００６０】
リア外形は、上部１０８及び下部１０９が異なる深さ、体積、又は質量を有することを可能にするために、複数の実施形態間で変化することができる。図１０及び図１１の断面図に示すように、幾つかの実施形態では、リア部１０３の下壁１３２は、屈曲継ぎ目１３０のすぐ下に棚１３９を備えることができる。棚１３９は、上壁１３１と、下壁１３２の残りの部分との間に存在することができる。これらの実施形態では、棚１３９は、屈曲継ぎ目１３０から後方及び／又は下方に延びる。図１１に示す一つの実施形態では、棚１３９はロフト面２０に対してほぼ垂直である。リア部外形を変化させることによって、上部１０８及び下部１０９の深さ、体積、又は質量を変更することができ、これは前記ＣＧの位置及びＭＯＩの値に影響を及ぼす。
【００６１】
２）上部及び下部の高さ
図４及び図５に示すように、ゴルフクラブヘッド１００は、上部１０８及び下部１０９を含んでおり、前記屈曲継ぎ目１３０によって分割されている。上部１０８は、トップレール部１０６から屈曲継ぎ目１３０まで、中心面４５に沿って、ロフト面２０に平行な方向に測定された高さ１８８を備える。上部高さ１８８は、０．６０インチから０．９０インチの範囲とすることができる。幾つかの実施形態では、上部高さ１８８は、０．６０インチから０．６５インチ、０．６５インチから０．７０インチ、０．７０インチから０．７５インチ、０．７５インチから０．８０インチ、０．８０インチから０．８５インチ、０．８５インチから０．９０インチ、０．６０インチから０．７０インチ、０．７０インチから０．８０インチ、又は０．８０インチから０．９０インチの範囲とすることができる。
【００６２】
下部１０９は、ソール部１０７から屈曲継ぎ目１３０までの中心面４５に沿って、ロフト面２０に平行な方向に測定された高さ１８９を備える。下部高さ１８９は、０．８０インチから１．１０インチの範囲とすることができる。幾つかの実施形態では、下部高さ１８９は、０．８０インチから０．８５インチ、０．８５インチから０．９０インチ、０．９０インチから０．９５インチ、０．９５インチから１．０インチ、１．０インチから１．０５インチ、１．０５インチから１．１０インチ、０．９インチから１．０インチ、又は１．０インチから１．１インチの範囲とすることができる。
【００６３】
上部高さ１８８と下部高さ１８９との比は、９：８（５４：４８）から６：１１（５４：９９）の範囲とすることができる。幾つかの実施形態では、上部高さ１８８と下部高さ１８９との比は、９：８（５４：４８）から６：８（５４：７２）、６：８（５４：７２）から９：１１（５４：６６）、又は９：１１（５４：６６）から６：１１（５４：９９）の範囲とすることができる。上部高さ１８８と下部高さ１８９との比が高くなると、以下に説明するように、下部１０９がより大きな深さと質量とを有するので、ＣＧが低くなり得る。低いＣＧは、ゴルフボールとのインパクト時にゴルフクラブヘッド１００に与えられるトルクを低減することによって、打ち上げ及びスピン特性を向上させる。低いＣＧはまた、ボール速度を増加させ、ゴルフクラブヘッド１００の感触を向上させることができる。
【００６４】
３）ゴルフクラブヘッド上部及び下部の深さ
図４及び図５に示すように、ゴルフクラブヘッド１００の上部１０８は、均一な深さを有することができる。クラブヘッド１００の上部深さ１１６は、０．２００インチから０．２５０インチの範囲とすることができる。幾つかの実施形態において、上部深さ１１６は、０．２００インチから０．２１０インチ、０．２０５インチから０．２１５インチ、０．２１０インチから０．２２０インチ、０．２１５インチから０．２２５インチ、０．２２０インチから０．２３０インチ、０．２２５インチから０．２３５インチ、０．２３０インチから０．２４０インチ、０．２３５インチから０．２４５インチ、０．２４０インチから０．２５０インチ、又は０．２４５インチから０．２５０インチの範囲とすることができる。
【００６５】
下部１０９は、中心面４５に沿って、打撃面１１１からリア部１０３の外側面まで、ロフト面２０に対して垂直に測定された深さ１１８を含む。下部深さ１１８は、トップレール部からソール部方向及び／又はヒール部からトウ部方向に変化することができる。下部深さ１１８は、ゴルフクラブヘッド１００の上部深さ１１６と等しいか、又はそれより深い。下部深さ１１８は、０．２７０インチから０．７８０インチの範囲とすることができる。他の実施形態では、下部深さ１１８は、０．２７０インチから０．３２０インチ、０．３２０インチから０．３８０インチ、０．３８０インチから０．４３０インチ、０．４３０インチから０．４８０インチ、０．４８０インチから０．５３０インチ、０．５３０インチから０．５８０インチ、０．５８０インチから０．６３０インチ、０．６３０インチから０．６８０インチ、０．６８０インチから０．７３０インチ、０．７３０インチから０．７８０インチ、０．２７０インチから０．４７０インチ、０．３２０インチから０．５２０インチ、０．３７０インチから０．５７０インチ、０．４２０インチから０．６２０インチ、０．４７０インチから０．６７０インチ、０．５２０インチから０．７２０インチ、及び０．５７０インチから０．７７０インチの範囲とすることができる。
【００６６】
クラブヘッド１００のトウ部１０１及びヒール部１０２において、下部深さ１１８は、中心面４５における下部深さ１１８とは異なることができる。トウ部１０１内の最小の下部深さ１１８は、０．３００インチから０．４６０インチの範囲とすることができる。他の実施形態では、トウ領域１０１の下部深さ１１８は、０．３００インチから０．３２０インチ、０．３２０インチから０．３３０インチ、０．３３０インチから０．３４０インチ、０．３４０インチから０．３６０インチ、０．３６０インチから０．３８０インチ、０．３８０インチから０．４００インチ、０．４００インチから０．４２０インチ、０．４２０インチから０．４４０インチ、又は０．４４０インチから０．４６０インチの範囲とすることができる。
【００６７】
ヒール部１０２における下部深さ１１８も同様に、中心面４５における下部深さと異なることができる。ヒール領域１０２内の最小の下部深さ１１８は、０．２７０インチから０．３１５インチの範囲とすることができる。他の実施形態では、ヒール領域１０２の下部深さ１１８は、０．２７０インチから０．２８０インチ、０．２８０インチから０．２９０インチ、０．２９０インチから０．３００インチ、０．３００インチから０．３１０インチ、０．３１０インチから０．３２０インチ、０．３２０インチから０．３４０インチ、０．３４０インチから０．３６０インチ、０．３６０インチから０．３８０インチ、０．３８０インチから０．４００インチ、０．４００インチから０．４２０インチ、０．４２０インチから０．４４０インチ、又は０．４４０インチから０．４６０インチの範囲とすることができる。
【００６８】
クラブヘッド１００の最大深さは、本体１１０の下部１０９内に位置している。クラブヘッド１００の深さの最大値は、打撃面１１１からリア部１０３の外側面まで、ロフト面２０に対して垂直に測定される。最大深さは０．６７０インチから０．７７０インチの範囲とすることができる。他の実施形態では、最大深さは、０．６７０インチから０．６９０インチ、０．６９０インチから０．７１０インチ、０．７１０インチから０．７３０インチ、０．７３０インチから０．７５０インチ、又は０．７５０インチから０．７７０インチの範囲とすることができる。
【００６９】
幾つかの実施形態では、上部深さ１１６と下部深さ１１８との間の比は、１：３から４：５の範囲とすることができる。幾つかの実施形態では、上部深さ１１６と下部深さ１１８との間の比は、１：３から１：２、１：２から２：３、又は２：３から４：５の範囲とすることができる。
【００７０】
４）ゴルフクラブヘッド上部及び下部の容積
図４及び図５を参照すると、ゴルフクラブヘッド１００の上部１０８及び下部１０９は、容積（ａ  ｖｏｌｕｍｅ）を含むことができる。その容積は、ヒール部１０２に隣接し、フェースプレート１５５の端部／周縁に一致する平面から、トウ部１０１まで測定される。上部１０８の容積は、０．２０立方インチから０．６０立方インチの範囲とすることができる。幾つかの実施形態では、上部１０８の容積は、０．２０立方インチから０．３０立方インチ、０．２５立方インチから０．３５立方インチ、０．３０立方インチから０．４０立方インチ、０．３５立方インチから０．４５立方インチ、０．４０立方インチから０．５０立方インチ、０．４５立方インチから０．５５立方インチ、又は０．５０立方インチから０．６０立方インチの範囲であることができる。幾つかの実施形態において、上部１０８の容積は、０．４８立方インチである。
【００７１】
図５に示すように、上部１０８と下部１０９は共に本体１１０を形成し、それはキャビティ１２０を画定する。本体１１０の上部１０８内にあるキャビティ１２０の一部は、０．０５立方インチから０．４０立方インチ（０．８２ｃｃから６．５５ｃｃ）の範囲の容積を有することができる。幾つかの実施形態では、上部１０８内のキャビティ容積は、０．０５立方インチから０．１５立方インチ、０．１０立方インチから０．２０立方インチ、０．１５立方インチから０．２５立方インチ、０．２０立方インチから０．３０立方インチ、０．２５立方インチから０．３５立方インチ、０．３０立方インチから０．４０立方インチ、又は０．３５立方インチから０．４５立方インチの範囲とすることができる。幾つかの実施形態において、上部１０８におけるキャビティ容積は、０．１７立方インチである。
【００７２】
ＣＧをゴルフクラブヘッド１００内に適切に低く配置するために、屈曲継ぎ目１３０より低いゴルフクラブヘッド１００（即ち、下部１０９）は、屈曲継ぎ目１３０より高いゴルフクラブヘッド１００（即ち、上部１０８）よりも容積が大きい。クラブヘッド１００の下部１０９の容積は、上部１０８と同様に測定される（即ち、ヒール部１０２に隣接し、フェースプレート１５５の縁部／周縁部に一致する平面から、トウ部まで測定される）。下部１０９の容積は、１．１５立方インチから１．５５立方インチの範囲とすることができる。幾つかの実施形態において、下部１０９の容積は、１．１５立方インチから１．３５立方インチ、１．２５立方インチから１．４５立方インチ、１．３５立方インチから１．５５立方インチ、１．２０立方インチから１．３０立方インチ、１．３０立方インチから１．４０立方インチ、又は１．４０立方インチから１．５０立方インチの範囲とすることができる。幾つかの実施形態では、上部の容積は、１．３６立方インチである。
【００７３】
下部１０９内のキャビティ１２０の一部は、０．１５立方インチから０．６０立方インチ（２．４６ｃｃから９．８３ｃｃ）の範囲の容積を有することができる。幾つかの実施形態において、下部１０９におけるキャビティ容積は、０．１５立方インチから０．２５立方インチ、０．２０立方インチから０．３０立方インチ、０．２５立方インチから０．３５立方インチ、０．３０立方インチから０．４０立方インチ、０．３５立方インチから０．４５立方インチ、０．４０立方インチから０．５０立方インチ、０．４５立方インチから０．５５立方インチ、又は０．５０立方インチから０．６０立方インチの範囲とすることができる。幾つかの実施形態では、下部１０９のキャビティ容積は、０．３７立方インチである。
【００７４】
５）キャビティの全容積
再び図１を参照すると、ゴルフクラブヘッド１００は、ゴルフクラブヘッド１００の中央部分にキャビティ１２０を備える、本体１１０を備えることができる。キャビティ１２０は、低密度インサート１４０で満たされており、それは、ツアーアイアンの中実な感触及び外観を犠牲にすることなく、ゴルフクラブヘッド１００の寛容性を増加させる。ゴルフクラブヘッド１００の寛容性は、周辺重み付けの量に対応し、それはキャビティ１２０の容積に影響される。より大きなキャビティは、より小さなキャビティよりも、ゴルフクラブヘッド１００の中央領域からより多くの質量を排除する。その結果、より大きなキャビティは、より多くの重量がゴルフクラブヘッド１００の周囲に配置されることを可能にする。
【００７５】
キャビティ１２０は、０．２立方インチから０．８立方インチ（３．２８ｃｃから１３．１１ｃｃ）の範囲の容積を有することができる。幾つかの実施形態において、キャビティ１２０の容積は、０．２立方インチから０．３立方インチ、０．２立方インチから０．２５立方インチ、０．２５立方インチから０．３０立方インチ、０．３０立方インチから０．４０立方インチ、０．３０立方インチから０．３５立方インチ、０．３５立方インチから０．４０立方インチ、０．４０立方インチから０．５０立方インチ、０．４０立方インチから０．４５立方インチ、０．４５立方インチから０．５０立方インチ、０．５０立方インチから０．６０立方インチ、０．５０立方インチから０．５５立方インチ、０．５５立方インチから０．６０立方インチ、０．６０立方インチから０．７０立方インチ、０．６０立方インチから０．６５立方インチ、０．６５立方インチから０．７０立方インチ、０．７０立方インチから０．８０立方インチ、０．７０立方インチから０．７５立方インチ、又は０．７５立方インチから０．８０立方インチの範囲とすることができる。他の実施形態では、キャビティ１２０は、０．２０立方インチ、０．２２立方インチ、０．２４立方インチ、０．２６立方インチ、０．２８立方インチ、０．３０立方インチ、０．３２立方インチ、０．３４立方インチ、０．３６立方インチ、０．３８立方インチ、０．４０立方インチ、０．４２立方インチ、０．４４立方インチ、０．４６立方インチ、０．４８立方インチ、０．５０立方インチ、０．５２立方インチ、０．５４立方インチ、０．５６立方インチ、０．５８立方インチ、０．６０立方インチ、０．６２立方インチ、０．６４立方インチ、０．６６立方インチ、０．６８立方インチ、０．７０立方インチ、０．７２立方インチ、０．７４立方インチ、０．７６立方インチ、０．７８立方インチ、又は０．８０立方インチの容積を有することができる。
【００７６】
キャビティ１２０は、上述のように、クラブヘッド全容積の５％から６０％の間の容積を有することができる。幾つかの実施形態では、キャビティ１２０は、クラブヘッド全容積の５％から１０％、１０％から３０％、１５％から３５％、２０％から４０％、２５％から４５％、３０％から５０％、３５％から５５％、又は４０％から６０％の範囲の容積を有することができる。一実施形態では、キャビティ１２０の容積は、クラブヘッド容積の１７％から３２％の範囲である。
【００７７】
キャビティ１２０の容積を増大させることにより、本体１１０の中央領域から重量が排除される。この除かれた重量は、ゴルフクラブヘッド１００の周囲に再分配されることができ、ゴルフクラブヘッド１００により大きな寛容性を与える。
【００７８】
本体１１０の上部及び下部１０８、１０９の高さ、深さ、及び体積は、低位置に配置されたＣＧ６０をクラブヘッド１００に与える。従って、ゴルフクラブヘッド１００は、以下の例３に例示されるように、平坦なリア部を有するゴルフクラブヘッドよりも低いＣＧを備える。上述のように、ゴルフクラブヘッド１００は、０．０３０インチから０．０５０インチの範囲で、フラットバックの比較ゴルフクラブヘッドのＣＧよりも低いＣＧ６０を備えることができる。ＣＧ６０が低いほど、ゴルフクラブヘッド１００は、フラットバックゴルフクラブヘッドよりも良好な打ち上げ特性、良好なスピン特性、及び高いボール速度を有する。
【００７９】
６）ゴルフクラブヘッドの厚さプロファイル
本体１１０のリア部１０３の厚さも、ゴルフクラブヘッド１００の重さと、そしてＣＧ位置に影響を及ぼす。この厚さは、リア部１０３の外表面からキャビティ１２０内のリア部１０３の内表面まで測定される。幾つかの実施形態では、本体１１０のリア部１０３は、本体１１０のソール部１０７の隣においてより厚い。本体１１０材料の密度に起因して、ソール部１０７の隣における大きな厚さは、均一なリア部厚さを有するゴルフクラブヘッド本体と比較して、質量を下方に移動させる。図５の断面図に示すように、本体１１０のリア部１０３は、厚さ１１３を有することができる。リア部の厚さ１１３は、０．０３０インチから０．１００インチの範囲とすることができる。幾つかの実施形態では、その厚さ１１３は、０．０３０インチ、０．０４０インチ、０．０５０インチ、０．０６０インチ、０．０７０インチ、０．０８０インチ、０．０９０インチ、又は０．１００インチであり得る。リア部の厚さ１１３は、リア部１０３にわたり一定であることができる。幾つかの実施形態において、リア部の厚さ１１３は、リア部１０３にわたり、ヒール部からトウ部の方向及び／又はトップレール部からソール部の方向に変化する。リア部１０３の厚さ１１３を変化させることは、ゴルフクラブヘッド１００の、ソール部１０７及びリア部１０３に向かって質量を移動させるのを助けることができる。質量をソール部１０７及びリア部１０３に向かって移すと、ＣＧが下がり、これにより打ち上げ特性が向上され、スピン特性が向上され、ボール速度が増加する。
【００８０】
７）本体のキャビティ
図１及び図５に示すように、本体１１０は、キャビティ１２０の外側境界を画定する内周縁１２７を含むことができる。内周縁１２７はキャビティ１２０の周囲を囲む。内周縁１２７は、トップレール部１０６、ソール部１０７、トウ部１０１、及びヒール部１０２を内部で境界付ける。内周縁１２７は、ゴルフクラブヘッド１００の外縁の外形に従ってもよい。キャビティ１２０の内周縁１２７は、ゴルフクラブヘッド１００の縁にできるだけ近接して延在するため、キャビティ１２０の大きさが最大になる。その結果、低密度インサート１４０の大きさ及びその重み付けの利点も最大化される。
【００８１】
幾つかの実施形態において、描かれてはいないが、内周縁１２７は、フロントからリア方向に取られたゴルフクラブヘッド１００の断面図において、キャビティ１２０が、フロント部１０４により近いより大きな領域と、リア部１０３により近いより小さな領域とを覆うように、緩やかにテーパー状になっている。これらの実施形態では、このテーパー形状により、フロント部１０４に隣接するより大きな領域が、低密度インサートのより多くの表面積を取り込むことが可能となり、よってそれをフロント部１０４により近く配置する。低密度インサートのために残される内部キャビティ面積はより小さく、より多くの高密度材料がゴルフクラブヘッド１００のリア部１０３に残される。従って、キャビティ１２０の成形は、ゴルフクラブヘッド１００のリア部１０３及びソール部１０７に隣接してより多くの質量を配置することを可能にし、ＣＧを下方及び後方に移動させることができる。
【００８２】
８）ゴルフクラブヘッドのキャビティ中の窪み
図１及び図５に示すように、本体１１０のフロント部１０４は、フェースプレート１５５を受け入れるための窪み（ｉｎｄｅｎｔａｔｉｏｎ）１４２をさらに備えている。窪み１４２は、キャビティ１２０の前方開口部に接続するが、キャビティ１２０の一部とはみなされない。窪み１４２は、ゴルフクラブヘッド１００の外形にほぼ追従する周縁１４３を備え、外形はトップレール部１０６、トウ部１０１内の本体の縁部、ソール部１０７、及びヒール部１０２に隣接するほぼ垂直な分割線を含むが、これらに限定されない。窪み１４２の周縁１４３は、キャビティ１２０を画定する内周縁１２７からオフセットされている。窪み１４２の面積は、周縁１４３によって境界付けされるように、キャビティ１２０のフロント部で内周縁１２７によって外接される領域よりも大きい。窪み１４２は、後述するように、フェースプレート１５５の厚さとほぼ同等の深さを有する。
【００８３】
フェースプレート１５５は、窪み１４２と一致し、キャビティ１２０内に位置し、窪み１４２上に載置されている。インサート１４０（以下に説明する）は、窪み１４２と同一平面にある容積までキャビティ内に嵌合する。キャビティ１２０の残りの容積は、窪み１４２上に置かれるフェースプレート１５５によって満たされる。併せて、インサート１４０とフェースプレート１５５は、キャビティ１２０の全容積と、ゴルフクラブヘッド１００の窪み１４２とを満たす。インサート１４０は、窪み１４２を覆わず、むしろ窪み１４２と同一平面に位置する。これにより、インサート１４０は、窪み１４２上に位置するフェースプレート１５５と干渉しない。
【００８４】
以下に説明する他の実施形態では、インサート１４０は、窪み１４２までキャビティ１２０の容積を満たさず、一部分のみを満たす。また、これらの実施形態は、窪み１４２上に位置するフェースプレート１５５と干渉しないインサート１４０を伴う。
【００８５】
Ｂ．ゴルフクラブヘッドのインサート
従来の単一材料ツアーアイアンとは対照的に、ゴルフクラブヘッド１００は、本体１１０のキャビティ１２０内に嵌合する低密度インサート１４０を備える。図1に示されるように、インサート１４０は、キャビティ１２０内に嵌合するように成形される。インサート１４０は、上述のように、キャビティ１２０を完全に充填するか、又は部分的に充填する。幾つかの実施形態において、インサート１４０は、キャビティ１２０と壁の形状を共有する。インサート１４０の形状は、キャビティ１２０の形状と同一あるいは、ほぼ同一であることができる。インサートがキャビティ１２０を実質的に充填する実施形態では、インサート１４０の容積及び他の寸法は、キャビティ１２０のそれぞれの容積及び他の寸法にほぼ対応する。以下に説明するように、製造公差及びキャビティ１２０へのテープ及び／又は接着剤の挿入は、キャビティ１２０と比較して、インサート１４０がわずかに小さい容積を持つことを必要とし得る。
【００８６】
１）多材料（多密度）インサート
幾つかの実施形態では、インサート１４０の代わりに多材料インサート４４０が使用される。多材料インサート４４０は、インサート１４０の寸法及び容積と同様の寸法及び容積を備えることができる。多材料インサート４４０は、異なる密度を有する異なる材料からなる、第１の部分４５０及び第２の部分４６０を含むことができる。幾つかの実施形態では、第１の部分４５０は低密度部分であり、第２の部分４６０は重りである。インサート４４０の低い部分に重量を加えると、ゴルフクラブヘッド１００のＣＧ６０が下がり、これによって打ち上げ特性が向上され、ボール速度が増加する。ＣＧ６０を下げるために重量を加えることは、ボール速度を増加させ、ゴルフクラブヘッド１００の感触を向上することもできる。他の実施形態では、第１の部分４５０は振動減衰材料であり、第２の部分４６０は低密度材料である。振動減衰材料から第１の部分４５０を形成することは、ゴルフクラブヘッド１００の感覚及び音に影響を与え得る。複数の材料からインサート４４０を形成することによって、ゴルフクラブヘッド１００の感覚、音、及び周辺重み付けを変えることができる。
【００８７】
上述のように、第１の部分４５０及び第２の部分４６０が本体１１０のキャビティ１２０内に嵌合するように構成されたインサート４４０を形成する限り、インサート４４０は、互いに対して任意の向き又は組み合わせである第１の部分４５０及び第２の部分４６０で形成することができる。第１の部分４５０は、第２の部分４６０から分離されてもよく、又は単一の多材料インサート４４０に一体的に形成されてもよい。多材料インサート４４０、４４０Ｂ、４４０Ｃ、及び４４０Ｄの様々な実施形態が、図６〜図９に示され、以下で説明される。
【００８８】
図６を参照すると、インサート４４０は、第１の部分４５０と第２の部分４６０とを備える。インサート４４０は、ゴルフクラブヘッド１００のキャビティ１２０内に適合するように設計されることができる。図６の断面は、ゴルフクラブヘッド１００の中心面４５に沿って切り取られている。インサート４４０の第１の部分４５０は、フェースプレート１５５に隣接し、第１の材料を備える。インサート４４０の第２の部分４６０は、本体１１０のリア部１０３に隣接し、第２の材料を備える。第１の部分４５０は、第２の部分４６０と重なる。インサート４４０の第１の部分４５０は、フェースプレート１５５のリア面１２８に当接するフロント面を備える。第２の部分４６０は、フェースプレート１５５と係合しない。第２の部分４６０は、第１の部分４５０のリア面と係合するフロント面を備える。第２の部分４６０は、ゴルフクラブヘッド１００の下部１０９内のキャビティ１２０の部分内に閉じ込められる。
【００８９】
幾つかの実施形態では、第１及び第２の部分４５０、４６０の一方又は両方の係合する表面は、係合表面積を増大させるために、ほぼ平坦な表面から外に延びる小さい特徴（図示せず）を備える。これらの小さな特徴は、突起、リップ、リブ、フック、又は任意の他の適切な特徴を含み得る。これらの特徴により、第１の部分４５０は、成形プロセス又は同時成形プロセスを通して第２の部分４６０上に固定されることが可能になる。
【００９０】
ここで図７〜９を参照すると、多材料インサートの３つのさらなる例示的な実施形態が、中心面４５に沿ったクラブヘッド１００の断面図内に描かれている。多材料インサート４４０Ｂの第２の実施形態は、図７に示すように配置された第１の部分４５０Ｂ及び第２の部分４６０Ｂを備える。この実施形態では、第１の部分４５０Ｂはインサート４４０Ｂの上部を形成し、第２の部分４６０Ｂはインサート４４０Ｂの下部を形成する。第１の部分４５０Ｂ及び第２の部分４６０Ｂの両方は、フェースプレート１５５と接している。第１の部分４５０Ｂは、本体１１０の上部１０８内のキャビティ１２０の部分を充填する。第２の部分４６０Ｂは、本体１１０の下部１０９内のキャビティ１２０の部分を充填する。第２の部分４６０Ｂは、キャビティ１２０の内側ソール部の壁全体と接している。
【００９１】
多材料インサート４４０Ｃの第３の実施形態は、図８に示すように配置された第１の部分４５０Ｃ及び第２の部分４６０Ｃを備える。この実施形態では、第１の部分４５０Ｃは、インサート４４０Ｃの容積の大部分を含む。第１の部分４５０Ｃは、インサート４４０Ｃの後端内に部分的に延びる。第２の部分４６０Ｃの全体は、第１の部分４５０Ｃの後方に位置している。第１の部分４５０Ｃは、ゴルフクラブヘッド１００のキャビティ内において、トップレール部１０６からソール部１０７までのフェースプレート１５５に接している。第２の部分４６０Ｃは、フェースプレート１５５と係合しない。第２の部分４６０Ｃは、本体１１０の下部１０９内のキャビティ１２０の部分を部分的に充填し、その部分に完全に配置される。第２の部分４６０Ｃは、キャビティ１２０の内側ソール部の壁及びリア部背壁の一部と係合する。幾つかの実施形態では、第２の部分４６０Ｃは、高密度材料から形成される。
【００９２】
多材料インサート４４０Ｄの第４の実施形態は、図９に示すように配置された第１の部分４５０Ｄ及び第２の部分４６０Ｄを備える。この実施形態では、第１の部分４５０Ｄは、インサート４４０Ｄの後端内に部分的に延びる。第１の部分４５０Ｄは、ロフト面２０に対して角度が付けられた平面に沿って、第２の部分４６０Ｄと係合する。さらに、第１の部分４５０Ｄは、インサート４４０Ｄの頂部に隣接する部分よりも、インサート４４０Ｄの底部に隣接する部分の方が幅広である。ゴルフクラブヘッド１００に関して、第１の部分４５０Ｄは、トップレール部１０６に隣接する部分よりもソール部１０７に隣接する部分の方が広い。第１の部分４５０Ｄは、ゴルフクラブヘッド１００のキャビティ１２０内において、トップレール部１０６からソール部１０７まで、フェースプレート１５５に対して接している。第２の部分４６０Ｄは、フェースプレート１５５と係合しない。第２の部分４６０Ｄは、本体１１０の下部１０９内のキャビティ１２０の部分を部分的に充填し、その部分に完全に配置される。第２の部分４６０Ｄは、キャビティ１２０のリア部背壁と係合する。幾つかの実施形態では、第２の部分４６０Ｄは、高密度材料から形成される。多材料インサート４４０を有するゴルフクラブヘッド１００は、インサートがないツアーアイアンに比べて、感触及び音の向上を提供する。
【００９３】
多材料インサートを有するゴルフクラブヘッド１００のさらに別の実施形態では、図示されないが、第２の部分４６０、４６０Ｂ、４６０Ｃ、４６０Ｄと同様の第２の部分を、主にゴルフクラブヘッド１００のトウ部１０１に配置することができる。これは、以下に説明するトウウェイト１６１と同様に作用する、トウウェイト効果を提供する。トウウェイトとして作用するインサートの第２の部分を有する実施形態は、外部トウウェイトを必要としない。このことは、トウウェイトでの溶接の必要性が排除することによって、美観の向上と製造の簡素化を可能にする。
【００９４】
２）ゴルフクラブヘッドのインサートで充填されたキャビティの容積
上述のように、インサート１４０は、ゴルフクラブヘッド１００のキャビティ１２０を完全に又は部分的に充填することができる。インサート１４０は、８０％から１００％の範囲のキャビティ１２０の容積を充填することができる。幾つかの実施形態では、インサート１４０は、８０％から８５％、８５％から９０％、９０％から９５％、９５％から１００％、８０％から９０％、又は９０％から１００％の範囲のキャビティ１２０の容積を充填することができる。インサート４４０のような多材料インサートを有する実施形態では、第１の部分４５０は、キャビティ１２０の大部分を充填することができる。第２の部分４６０は、キャビティ１２０の残りの部分を充填することができる。幾つかの実施形態では、図示されないが、第１及び第２の部分は、共に、キャビティ１２０を部分的にしか充填しない。多材料インサート４４０を有する実施形態では、第１の部分４５０は、２０％から９０％の範囲のキャビティの容積を充填することができる。幾つかの実施形態では、第１の部分４５０は、２０％から３０％、３０％から４０％、４０％から５０％、５０％から６０％、６０％から７０％、７０％から８０％、又は８０％から９０％の範囲を充填することができる。第２の部分４６０は、キャビティ１２０の容積の１０％から８０％の範囲を充填することができる。幾つかの実施形態では、第２の部分４６０は、１０％から２０％、２０％から３０％、３０％から４０％、又は４０％から５０％の範囲を充填することができる。
【００９５】
第１及び第２の部分４５０、４６０は、以下で詳細に説明するように、異なる密度を有する異なる材料で形成されるため、第１及び第２の部分４５０、４６０の体積は、ゴルフクラブヘッド１００の全体的な重量に影響を及ぼす。ゴルフクラブヘッドの設計では、多くの設計パラメータが一緒に考慮されなければならない。複数の材料からインサートを形成することにより、周囲の重みを増し、ＣＧを下げるように、質量配置を制御することができ、打ち上げ特性の向上とボール速度の高速化につながる。
【００９６】
３）ゴルフクラブヘッドのインサートと組み合わされたテープ層
幾つかの実施形態では、テープ層１５０は、インサート１４０と打撃面１１１との間のキャビティ１２０内に配置される。図１２に見られるように、テープ層１５０は、インサート１４０とフェースプレート１５５との間に挟まれる。インサート４４０のような多材料インサートを有するゴルフクラブヘッドの実施形態は、同様に、第１の部分４５０とフェースプレート１５５との間、又はインサート４４０の第１の部分４５０と本体１１０との間にテープ層１５０を備えることができる。ゴルフクラブヘッド１００内では、インサート１４０は本体１１０内に嵌合し、テープ層１５０はインサート１４０上に任意に載置することができ、フェースプレート１５５はテープ層１５０を覆い、本体１１０の窪み１４２を充填する。
【００９７】
図示されていない幾つかの実施形態では、第２のテープ層は、キャビティ１２０内で本体１１０のリア部１０３の内側表面と同一平面に位置することができる。第２のテープ層は、本体１１０のリア部１０３とインサート１４０との間に挟むことができる。幾つかの実施形態では、第３のテープ層は、キャビティ１２０の底部に面一に位置することができる。第３のテープ層は、本体１１０のソール部１０７とインサート１４０との間に挟まれることができる。ゴルフクラブヘッド１００は、第１のテープ層１５０、第２のテープ層、及び第３のテープ層のうちの一つ又は複数を備えることができる。
【００９８】
テープ層１５０、第２のテープ層、又は第３のテープ層は、極高結合性（ｖｅｒｙ  ｈｉｇｈ  ｂｏｎｄ）（以下、「ＶＨＢ」）テープ等の材料を含むことができる。ＶＨＢテープは、最初に設けられたときのテープ層１５０の元の厚さ（打撃面１１１に対して直交して測定される）が、組み立てられたゴルフクラブヘッド１００内の圧縮されたテープ層の厚さよりも大きいように、圧縮性である。第２及び第３のテープ層は、同様に圧縮可能であってもよい。一つ又は複数のテープ層の圧縮性の性質は、本体１１０とインサート１４０との間の製造公差によって生じるがたつきの可能性を低減する。さらに、この一つ又は複数のテープ層は、ゴルフクラブヘッド１００の感覚及び音に積極的に影響を与えるだけでなく、振動減衰を提供することができる。
【００９９】
Ｃ．ゴルフクラブヘッドのフェースプレート
完全なゴルフクラブヘッド１００は、本体１１０、インサート１４０、及びフェースプレート１５５の組み合わせによって形成される。本体１１０は、ゴルフクラブヘッド１００のフロント部１０４にキャビティ１２０の開口部を備える。開口部は、キャビティ１２０及びインサート１４０を完全に囲むように、フェースプレート１５５によって覆われている。図２及び図３に示すように、キャビティ１２０及びインサート１４０は、インサート１４０がキャビティ１２０内に配置されたとき、ゴルフクラブヘッド１００の外側からは見えない。ゴルフクラブヘッド１００内にインサート１４０を隠すことにより、ゴルフクラブヘッド１００の外観は、従来のツアーアイアンの外観に類似することができる。
【０１００】
従って、本体１１０のフロント部１０４の一部とフェースプレート１５５が打撃面１１１を形成する。打撃面１１１は、ゴルフクラブヘッド１００のフロント部１０４の表面積の７０％から９５％の範囲を覆うことができる。幾つかの実施形態では、打撃面１１１は、ゴルフクラブヘッド１００のフロント部の表面積の７０％から８０％、７５％から８５％、８０％から９０％、又は８５％から９５％の範囲を覆うことができる。さらに、打撃面１１１のフロント面は、一つ又は複数の溝を備えていてもよい。幾つかの実施形態では、その溝は、フェースプレート１５５の縁部を越えて本体１１０の一部の上に延在する。
【０１０１】
フェースプレート１５５は、以下に説明するように、本体１１０とは異なる材料を含むことができる。幾つかの実施形態では、フェースプレート１５５の材料は、本体１１０の材料よりも強い。フェースプレート１５５の材料の利益を活用するために、打撃面１１１の大部分は、フェースプレート１５５によって形成される。フェースプレート１５５は、ゴルフクラブヘッド１００のフロント部１０４の表面積の５０％から９５％の範囲を形成することができる。幾つかの実施形態では、フェースプレート１５５は、打撃面１１１の表面積の５０％から６０％、６０％から７０％、７０％から８０％、８０％から９０％、又は８５％から９５％の範囲を形成することができる。インサート１４０がフェースプレート１５５をしっかりと支持するので、フェースプレート１５５及び打撃面１１１の本体１１０部分は、異なる材料を有するにもかかわらず、両方とも、しっかりとした感触を与える。本体１１０、インサート１４０、及びフェースプレート１５５はすべて、ゴルフクラブヘッド１００がフェースプレート１５５の様々な領域上でゴルフボールに衝突したときに、ゴルフクラブヘッド１００の一貫した感触及び音に寄与することができる。
【０１０２】
１）フェースプレートのその他の特性
インサート１４０によってフェースプレート１５５に提供される支持は、薄いフェースプレート１５５がゴルフクラブヘッド１００において使用されることを可能にする。図５に示すように、ゴルフクラブヘッド１００のフェースプレート１５５は厚さ１１２を有する。厚さ１１２は、０．０３０インチから０．１００インチの範囲とすることができる。幾つかの実施形態では、フェースプレートの厚さ１１２は、０．０３０インチ、０．０４０インチ、０．０５０インチ、０．０６０インチ、０．０７０インチ、０．０８０インチ、０．０９０インチ、又は０．１００インチとすることができる。フェースプレートの厚さ１１２は、フェースプレート１５５にわたって一定であることができる。幾つかの実施形態では、フェースプレートの厚さ１１２は、ヒール部からトウ部の方向、又はトップレール部からソール部の方向に変化することができる。幾つかの実施形態では、フェースプレートの厚さ１１２は、フェースプレート１５５の中心から半径方向に変化することができる。
【０１０３】
他の実施形態では、フェースプレート１５５は、可変厚さ領域をさらに備えることができる。幾つかの実施形態では、フェースプレート１５５の中央領域は、フェースプレート１５５の周辺領域よりも厚くすることができる。幾つかの実施形態では、厚くなった中央領域は、楕円形を有することができる。フェースプレート１５５の厚さは、フェースプレート１５５の中心部から周縁部に向かってテーパー状となることができる。
【０１０４】
Ｄ．ゴルフクラブヘッドの他の周辺重み付け（チップウェイト、トウウェイト）
ゴルフクラブヘッド１００は、インサート１４０及び本体１１０によって提供される周辺重み付け及びスイング特性に加えて、他の周辺タイプの重みをさらに備えることができる。幾つかの実施形態では、ゴルフクラブヘッド１００は、チップウェイト１６０をさらに備えることができる。チップウェイト１６０は、ホーゼル１０５とゴルフクラブシャフトとの間の接合部に嵌合するウェイトである。チップウェイト１６０は、クラブヘッド１００に付加的な周辺重み付けを与える。図１３に示すように、チップウェイト１６０は、本体１１０のホーゼル１０５内に嵌合する。チップウェイト１６０は、円筒形、球形、立方体形、又は任意の他の適切な形状とすることができる。チップウェイト１６０は、図１３に示されているよりもホーゼル１０５内でより高い、又はより低い位置にあってもよい。
【０１０５】
図１及び図１３に示すように、ゴルフクラブヘッド１００の本体１１０は、トウキャビティ１１４をさらに備えることができる。トウキャビティ１１４は、トウウェイト１６１を収容するように設計されており、このトウウェイトは、ゴルフクラブヘッド１００の周辺重み付け及びスイング特性を向上する。図３は、トウウェイト１６１が取り付けられたトウキャビティ１１４を示している。図１３は、トウキャビティ１１４から取り外されたトウウェイト１６１を示している。幾つかの実施形態では、トウキャビティ１１４は、部分的にソール部１０７内に配置され、部分的にトウ部１０１内に配置される。幾つかの実施形態では、トウキャビティ１１４は、ゴルフクラブヘッド１００のトウ部１０１内に完全に位置し、ソール部１０７に隣接する。幾つかの実施形態では、トウキャビティ１１４は、ソール部１０７内に完全に位置し、トウ部１０１に隣接する。幾つかの実施形態では、トウキャビティ１１４は、完全にトウ部１０１内に位置する。幾つかの実施形態では、トウキャビティ１１４は、トウ部１０１の中央に位置し、トップレール部１０６とソール部１０７との間のほぼ半分である。
【０１０６】
幾つかの実施形態では、トウキャビティ１１４は、クラブヘッド１００の本体１１０の背面図から見ることができる。他の実施形態では、トウキャビティ１１４は、本体１１０の背面図からは見えない。幾つかの実施形態では、トウキャビティ１１４は、本体１１０のトウ側面図から見ることができる。他の実施形態では、トウキャビティ１１４は、本体１１０のトウ側面図からは見えない。幾つかの実施形態では、トウキャビティ１１４は、本体１１０のソール側面図から見ることができる。他の実施形態では、トウキャビティ１１４は、本体１１０のソール側面図からは見えない。図１〜図１３の実施形態では、トウキャビティ１１４は、背面図、ソール側面図、及びトウ側面図から見ることができる。
【０１０７】
トウウェイト１６１は、本体１１０のトウキャビティ１１４の外形に一致するように形成されている。トウウェイト１６１の外壁は、ゴルフクラブヘッドの本体１１０の曲線に沿って設計されている。幾つかの実施形態では、トウウェイト１６１の質量は、本体１１０の質量の５％から４５％の範囲とすることができる。幾つかの実施形態では、トウウェイト１６１の質量は、本体１１０の質量の５％から２０％、５％から１５％、１０％から２０％、１５％から２５％、２０％から４０％、２０％から３０％、３０％から４０％、又は３５％から４５％の範囲とすることができる。
【０１０８】
幾つかの実施形態では、ゴルフクラブヘッド１００の本体１１０は、図示されていないが、トウ部１０１にトウスクリューウェイトポートをさらに備えることができる。ゴルフクラブヘッド１００は、スクリューウェイトポート内に嵌合するトウスクリューウェイトをさらに備えることができる。幾つかの実施形態では、トウスクリューウェイトは、後述するように、２グラムから１５グラムの範囲の重量を備えることができる。ゴルフクラブヘッド１００をゴルファーのスイングに合わせてカスタマイズするために、一つの重量値を有するスクリューウェイトを、異なる重量値を有する異なるスクリューウェイトと交換することができる。
【０１０９】
幾つかの実施形態では、インサート、トウウェイト、チップウェイト、及びトウスクリューウェイトを含む、上述のウェイトの組み合わせがある。他の実施形態は、トウウェイト、チップウェイト、及びトウスクリューウェイトのうちの一つ又は複数と組み合わされた多材料インサートを備えることができる。
【０１１０】
Ｅ．材料
本体１１０、インサート１４０、及びフェースプレート１５５を形成する材料は、ゴルフクラブヘッド１００の質量分布に影響を及ぼす。その結果、ゴルフクラブヘッド１００のＭＯＩ及びＣＧも、材料の密度の影響を受ける。さらに、これらの材料は、ゴルフクラブヘッド１００に必要な強度及び柔軟性を提供する。ゴルフクラブヘッド１００は、一つ以上、二つ以上、三つ以上、又は四つ以上の材料を含む。幾つかの実施形態では、それらの材料は、第１の密度、第２の密度、第３の密度、第４の密度、第５の密度、又は第６の密度であってもよい。
【０１１１】
幾つかの実施形態では、フェースプレート１５５は、第１の密度を有する第１の材料を含むことができる。本体１１０は、第２の密度を有する第２の材料を含むことができる。インサート１４０は、第３の密度を有する第３の材料を含むことができる。第３の密度は、第１の密度及び／又は第２の密度よりも小さくすることができる。幾つかの実施形態では、フェースプレート１５５は、本体１１０と同じ材料（従って、同じ密度）とすることができる。上述したように、幾つかの実施形態では、インサート４４０は、互いに異なる密度であり、フェースプレート１５５及び／又は本体１１０の材料にわたって異なるか又は同じであり得る、二つあるいはそれ以上の材料を含むことができる。
【０１１２】
１）本体材料
本体１１０は、鋼、鋼合金、又は任意の他の適切な材料等の材料を含むことができる。幾つかの実施形態では、本体１１０は、フェースプレート１５５及びインサート１４０に渡って異なる密度の材料を含むことができる。材料は、鋼ベース材料及び鋼合金からなる群から選択される材料を含むことができる。幾つかの実施形態では、本体材料は、８６２０炭素鋼とすることができ、これは、鉄と、約０．１７〜０．２３重量％の炭素と、約０．１５〜０．３５重量％のケイ素と、約０．６０〜０．９０重量％のマンガンと、約０．１５〜０．３０重量％のモリブデンと、約０．４０〜０．７０重量％のニッケルと、約０．４０〜０．６５重量％のクロムと、約０．０４０重量％のリンと、微量の他の元素とを含む。幾つかの実施形態では、本体材料は、３００グレード鋼とすることができ、鉄と、約１８〜１９重量％のニッケルと、約８．５〜９．５重量％のコバルトと、約４．６〜５．２重量％のモリブデンと、約０．５〜０．８重量％のチタンと、約０．０５〜０．１５重量％のアルミニウムと、微量の他の元素とを含む。幾つかの実施形態では、本体材料は、マルエージング鋼とすることができ、鉄と、約１７〜１９重量％のニッケルと、約８〜１２．５重量％のコバルトと、約３．０〜５．２重量％のモリブデンと、約０．１５〜１．６重量％のチタンと、約０．０５〜０．１５重量％のアルミニウムと、微量の他の元素とを含む。本体１１０材料の密度は、１立方センチメートル当たり７．７０から８．１０グラム（以下、「ｇ／ｃｃ」）の範囲とすることができる。幾つかの実施形態では、本体材料の密度は、７．７０ｇ／ｃｃ、７．７５ｇ／ｃｃ、７．８０ｇ／ｃｃ、７．８５ｇ／ｃｃ、７．９０ｇ／ｃｃ、７．９５ｇ／ｃｃ、８．０５ｇ／ｃｃ、又は８．１０ｇ／ｃｃとすることができる。一実施形態では、本体材料の密度は７．８５ｇ／ｃｃである。
【０１１３】
２）インサート材料
インサート１４０は、チタン、チタン合金、アルミニウム、アルミニウム合金、エラストマー、ポリマーマトリックス複合材料、任意の他の適切な低密度材料、又は本体１１０材料よりも低密度である任意の他の適切な密度材料等の材料を含む。アルミニウム合金は、高強度アルミニウム合金、又は高強度合金で被覆された複合アルミニウム合金とすることができる。ポリマーマトリックス複合体は、ガラス充填エラストマー、ステンレス鋼充填エラストマー、タングステン充填エラストマー、熱可塑性ポリウレタン（ＴＰＵ）、熱可塑性エラストマー（ＴＰＥ）、又は、Ｋｅｖｌａｒ（登録商標）（アラミド）繊維強化ポリマー、炭素繊維強化ポリマー、又は適切な樹脂と適切な強化繊維との任意の組み合わせである、任意の他のエラストマーマトリックス複合体、であり得る。ポリマーマトリックス複合材料は、エラストマーマトリックス複合材料とすることができる。幾つかの実施形態では、金属材料は、鋼ベース材料、チタンベース材料、アルミニウム合金、チタン合金、又はそれらの任意の組合せとすることができる。鋼ベース材料は、１７−４ＰＨステンレス鋼、４３１、４５５、４５７、Ｃ３００、マルエージング鋼、又は他のタイプのステンレス鋼とすることができる。アルミニウム合金は、高強度アルミニウム合金、又は高強度合金で被覆された複合アルミニウム合金とすることができる。チタン合金はＴｉ−９Ｓ，Ｔｉ−６−４，Ｔｉ−１５−３−３−３とすることができる。チタン合金はα−βチタン合金とすることができる。
【０１１４】
インサート１４０は、本体１１０及びフェースプレート１５５に渡って異なる密度の材料を含むことができる。インサート１４０に適した材料は、本体材料の密度よりも低い密度を有する任意の材料を含むことができる。幾つかの実施形態、特に金属インサート材料を有する実施形態では、インサート１４０材料の密度は、２．４ｇ／ｃｃから５．０ｇ／ｃｃの範囲とすることができる。幾つかの実施形態では、インサート１４０材料の密度は、２．４ｇ／ｃｃ、２．５ｇ／ｃｃ、２．６ｇ／ｃｃ、２．７ｇ／ｃｃ、２．８ｇ／ｃｃ、２．９ｇ／ｃｃ、３．０ｇ／ｃｃ、３．１ｇ／ｃｃ、３．２ｇ／ｃｃ、３．３ｇ／ｃｃ、３．４ｇ／ｃｃ、３．５ｇ／ｃｃ、３．６ｇ／ｃｃ、３．７ｇ／ｃｃ、３．８ｇ／ｃｃ、３．９ｇ／ｃｃ、４．０ｇ／ｃｃ、４．１ｇ／ｃｃ、４．２ｇ／ｃｃ、４．３ｇ／ｃｃ、４．４ｇ／ｃｃ、４．５ｇ／ｃｃ、４．６ｇ／ｃｃ、４．７ｇ／ｃｃ、４．８ｇ／ｃｃ、４．９ｇ／ｃｃ、又は５．０ｇ／ｃｃとすることができる。一実施形態では、インサート１４０の材料はアルミニウムであり、インサート１４０の材料の密度は約２．７ｇ／ｃｃである。他の実施形態では、インサート１４０の材料はチタンであり、インサート１４０の材料の密度は約４．５ｇ／ｃｃである。
【０１１５】
幾つかの実施形態、特にポリマーマトリックス複合材料を有する実施形態では、インサート１４０の密度は、１．０ｇ／ｃｃから１２．０ｇ／ｃｃの範囲とすることができる。ポリマーマトリックス複合材料の好ましい実施形態では、インサート１４０の密度は、１．０ｇ／ｃｃから５．０ｇ／ｃｃの範囲とすることができる。幾つかの実施形態では、インサート１４０の密度は、１．０ｇ／ｃｃ、１．５ｇ／ｃｃ、２．０ｇ／ｃｃ、２．５ｇ／ｃｃ、３．０ｇ／ｃｃ、３．５ｇ／ｃｃ、４．０ｇ／ｃｃ、４．５ｇ／ｃｃ、又は５．０ｇ／ｃｃとすることができる。インサート１４０の密度が低いと、インサート１４０を収容するクラブヘッドの中央部分が軽くなり、重量をクラブヘッドの周囲に再配分することができる。再分配された重量は、ＭＯＩを増加させる。
【０１１６】
ゴルフクラブヘッド１００の幾つかの実施形態では、インサート４４０は、異なる材料及び異なる密度から形成された別個の部分を含む。幾つかの実施形態では、インサート４４０の第１及び第２の部分４５０、４６０はそれぞれ、単一材料インサートについて上述した材料のいずれかから形成することができる。幾つかの実施形態では、インサート４４０の第１の部分４５０は、０．８ｇ／ｃｃから１．４ｇ／ｃｃの範囲の密度を含むエラストマー又はポリマーマトリックス複合材料から形成され、インサート４４０の第２の部分４６０は、１．５ｇ／ｃｃから３．０ｇ／ｃｃの範囲の密度を含むアルミニウム又はアルミニウム合金から形成される。
【０１１７】
ゴルフクラブヘッド１００の幾つかの実施形態では、インサート４４０の第１の部分４５０は、１．０ｇ／ｃｃから１２．０ｇ／ｃｃの範囲の密度を有する上述の材料のいずれかを含むことができる。幾つかの実施形態では、インサート４４０の第２の部分４６０は、本体材料の密度よりも高い密度を有する材料を含むことができる。幾つかの実施形態では、インサート４４０の第２の部分４６０は、トウウェイト１６１について以下で説明する材料のいずれかを含み、１４．０ｇ／ｃｃから１９．６ｇ／ｃｃの範囲の密度を有するウェイト部分とすることができる。これらの実施形態の幾つかでは、インサート４４０の第２の部分４６０が同様の目的を果たすので、トウウェイト１６１は必要ではない。
【０１１８】
インサート１４０又は４４０の重量は、１０グラムから５０グラムの範囲とすることができる。幾つかの実施形態では、インサート１４０の重量は、１０グラム、１１グラム、１２グラム、１３グラム、１４グラム、１５グラム、１６グラム、１７グラム、１８グラム、１９グラム、２０グラム、２１グラム、２２グラム、２３グラム、２４グラム、２５グラム、２６グラム、２７グラム、２８グラム、２９グラム、３０グラム、３１グラム、３２グラム、３３グラム、３４グラム、３５グラム、３６グラム、３７グラム、３８グラム、３９グラム、４０グラム、４１グラム、４２グラム、４３グラム、４４グラム、４５グラム、４６グラム、４７グラム、４８グラム、４９グラム、又は５０グラムとすることができる。インサートの第２の部分４６０が、以下で説明するトウウェイト１６１の材料と同様の材料を含む多材料インサートの実施形態では、インサート１４０又は４４０、及びインサート１４０又は４４０の重量は、１０グラムから７０グラムの範囲とすることができる幾つかの実施形態では、多材料インサート１４０又は４４０の重量は、１０グラムから２０グラム、２０グラムから３０グラム、３０グラムから４０グラム、４０グラムから５０グラム、５０グラムから６０グラム、又は６０グラムから７０グラムの範囲とすることができる。
【０１１９】
さらに、インサート１４０及び４４０は、打撃面１１１に構造的支持を提供する。金属インサート材料を有する実施形態では、インサート１４０又は４４０、又はインサート１４０又は４４０の一部は、３０ＨＲＢから１００ＨＲＢの範囲のロックウェルＢ硬度を含むことができる。幾つかの実施形態において、インサート１４０又は４４０、又はインサート１４０又は４４０の一部は、３０ＨＲＢから４０ＨＲＢ、４０ＨＲＢから５０ＨＲＢ、５０ＨＲＢから６０ＨＲＢ、６０ＨＲＢから７０ＨＲＢ、７０ＨＲＢから８０ＨＲＢ、８０ＨＲＢから９０ＨＲＢ、９０ＨＲＢから１００ＨＲＢの範囲のロックウェルＢ硬度を有することができる。他の実施形態では、インサート１４０又はインサート１４０の一部は、３０ＨＲＢ、３１ＨＲＢ、３２ＨＲＢ、３３ＨＲＢ、３４ＨＲＢ、３５ＨＲＢ、３６ＨＲＢ、３７ＨＲＢ、３８ＨＲＢ、３９ＨＲＢ、４０ＨＲＢ、４１ＨＲＢ、４２ＨＲＢ、４３ＨＲＢ、４４ＨＲＢ、４５ＨＲＢ、４６ＨＲＢ、４７ＨＲＢ、４８ＨＲＢ、４９ＨＲＢ、５０ＨＲＢ、５１ＨＲＢ、５２ＨＲＢ、５３ＨＲＢ、５４ＨＲＢ、５５ＨＲＢ、５６ＨＲＢ、５７ＨＲＢ、５８ＨＲＢ、５９ＨＲＢ、６０ＨＲＢ、６１ＨＲＢ、６２ＨＲＢ、６３ＨＲＢ、６４ＨＲＢ、６５ＨＲＢ、６６ＨＲＢ、６７ＨＲＢ、６８ＨＲＢ、６９ＨＲＢ、７０ＨＲＢ、７１ＨＲＢ、７２ＨＲＢ、７３ＨＲＢ、７４ＨＲＢ、７５ＨＲＢ、７６ＨＲＢ、７７ＨＲＢ、７８ＨＲＢ、７９ＨＲＢ、８０ＨＲＢ、８１ＨＲＢ、８２ＨＲＢ、８３ＨＲＢ、８４ＨＲＢ、８５ＨＲＢ、８６ＨＲＢ、８７ＨＲＢ、８８ＨＲＢ、８９ＨＲＢ、９０ＨＲＢ、９１ＨＲＢ、９２ＨＲＢ、９３ＨＲＢ、９４ＨＲＢ、９５ＨＲＢ、９６ＨＲＢ、９７ＨＲＢ、９８ＨＲＢ、９９ＨＲＢ、又は１０００ＨＲＢを有することができる。金属インサートを有する他の実施形態では、インサート１４０又は４４０、又はインサート１４０又は４４０の一部は、３０ＨＲＣから６０ＨＲＣの範囲のロックウェルＣ硬度を含むことができる。幾つかの実施形態において、インサート１４０又は４４０は、３０ＨＲＣから４０ＨＲＣ、３５ＨＲＣから４５ＨＲＣ、４０ＨＲＣから５０ＨＲＣ、４５ＨＲＣから５０ＨＲＣ、又は５０ＨＲＣから６０ＨＲＣの範囲の硬度を有することができる。他の実施形態では、インサートは、３０ＨＲＣ、３１ＨＲＣ、３２ＨＲＣ、３３ＨＲＣ、３４ＨＲＣ、３５ＨＲＣ、３６ＨＲＣ、３７ＨＲＣ、３８ＨＲＣ、３９ＨＲＣ、４０ＨＲＣ、４１ＨＲＣ、４２ＨＲＣ、４３ＨＲＣ、４４ＨＲＣ、４５ＨＲＣ、４６ＨＲＣ、４７ＨＲＣ、４８ＨＲＣ、４９ＨＲＣ、５０ＨＲＣ、５１ＨＲＣ、５２ＨＲＣ、５３ＨＲＣ、５４ＨＲＣ、５５ＨＲＣ、５６ＨＲＣ、５７ＨＲＣ、５８ＨＲＣ、５９ＨＲＣ、又は６０ＨＲＣのロックウェルＣ硬度を有することができる。チタン又はチタン合金インサート１４０又は４４０を含む幾つかの実施形態では、インサート硬度は４４ＨＲＣである。
【０１２０】
３）フェースプレート材料
フェースプレート１５５は、フェースプレート材料から形成することができる。幾つかの実施形態では、フェースプレート材料は、本体１１０材料と同じ材料である。他の実施形態では、フェースプレート材料は、本体材料とは異なる材料である。幾つかの実施形態では、フェースプレート１５５は、本体１１０及びインサート１４０に渡って異なる密度の材料を含むことができる。
【０１２１】
フェースプレート材料は、鋼ベース材料、チタンベース材料、チタン合金、又はそれらの任意の組合せとすることができる。鋼ベース材料は、炭素鋼、１７−４ＰＨステンレス鋼、４３１、４５５、４７５、Ｃ３００、マルエージング鋼、又は他のタイプのステンレス鋼とすることができる。チタン合金は、Ｔｉ−７Ｓ＋(ＳＴ７２１）、Ｔｉ−９Ｓ、Ｔｉ−６−４、Ｔｉ−１５−３−３−３、又は任意の他の適切なチタン合金とすることができる。このチタン合金は、α−β型チタン合金であってもよい。フェースプレート１５５がチタンベース材料、アルミニウム合金、チタン合金、又はそれらの任意の組み合わせである実施形態では、フェースプレート１５５の材料の密度は、２．６ｇ／ｃｃから８．７ｇ／ｃｃの範囲とすることができる。幾つかの実施形態では、フェースプレート材料の密度は、２．６ｇ／ｃｃ、２．８ｇ／ｃｃ、３．０ｇ／ｃｃ、３．２ｇ／ｃｃ、３．４ｇ／ｃｃ、３．６ｇ／ｃｃ、３．８ｇ／ｃｃ、４．０ｇ／ｃｃ、４．２ｇ／ｃｃ、４．４ｇ／ｃｃ、４．６ｇ／ｃｃ、４．８ｇ／ｃｃ、５．０ｇ／ｃｃ、５．２ｇ／ｃｃ、５．４ｇ／ｃｃ、５．６ｇ／ｃｃ、５．８ｇ／ｃｃ、６．０ｇ／ｃｃ、６．２ｇ／ｃｃ、６．４ｇ／ｃｃ、６．６ｇ／ｃｃ、６．８ｇ／ｃｃ、７．０ｇ／ｃｃ、７．２ｇ／ｃｃ、７．４ｇ／ｃｃ、７．６ｇ／ｃｃ、７．８ｇ／ｃｃ、８．０ｇ／ｃｃ、８．２ｇ／ｃｃ、８．４ｇ／ｃｃ、８．６ｇ／ｃｃ、又は８．７ｇ／ｃｃの範囲とすることができる。フェースプレート１５５が鋼ベースの材料である実施形態では、フェースプレート材料の密度は、７．７ｇ／ｃｃから８．１ｇ／ｃｃの範囲とすることができる。
【０１２２】
４）チップウェイト材料
チップウェイト１６０は、本体１１０、フェースプレート１５５、及びインサート１４０又は４４０の材料とは異なる材料を含むことができる。チップウェイト１６０は、タングステン又は他の任意の適切な金属又は金属合金材料等の高密度材料を含む。チップウェイト１６０の密度は、１．１ｇ／ｃｃから１９．６ｇ／ｃｃの範囲とすることができる。幾つかの実施形態では、チップウェイト１６０材料の密度は、１．１ｇ／ｃｃ、１．５ｇ／ｃｃ、２．０ｇ／ｃｃ、２．５ｇ／ｃｃ、３．０ｇ／ｃｃ、３．５ｇ／ｃｃ、４．０ｇ／ｃｃ、４．５ｇ／ｃｃ、５．０ｇ／ｃｃ、５．５ｇ／ｃｃ、６．０ｇ／ｃｃ、６．５ｇ／ｃｃ、７．０ｇ／ｃｃ、７．５ｇ／ｃｃ、８．０ｇ／ｃｃ、８．５ｇ／ｃｃ、９．０ｇ／ｃｃ、９．５ｇ／ｃｃ、１０．０ｇ／ｃｃ、１０．５ｇ／ｃｃ、１１．０ｇ／ｃｃ、１１．５ｇ／ｃｃ、１２．０ｇ／ｃｃ、１２．５ｇ／ｃｃ、１３．０ｇ／ｃｃ、１３．５ｇ／ｃｃ、１４．０ｇ／ｃｃ、１４．５ｇ／ｃｃ、１５．０ｇ／ｃｃ、１５．５ｇ／ｃｃ、１５．８ｇ／ｃｃ、１６．０ｇ／ｃｃ、１６．２ｇ／ｃｃ、１６．４ｇ／ｃｃ、１６．６ｇ／ｃｃ、１６．８ｇ／ｃｃ、１７．０ｇ／ｃｃ、１７．２ｇ／ｃｃ、１７．４ｇ／ｃｃ、１７．６ｇ／ｃｃ、１７．８ｇ／ｃｃ、１８．０ｇ／ｃｃ、１８．２ｇ／ｃｃ、１８．４ｇ／ｃｃ、１８．６ｇ／ｃｃ、１８．８ｇ／ｃｃ、１９．０ｇ／ｃｃ、１９．２ｇ／ｃｃ、１９．４ｇ／ｃｃ、又は１９．６ｇ／ｃｃの範囲とすることができる。チップウェイト１６０の重量は、０グラムから１８グラムの範囲とすることができる。幾つかの実施形態では、チップウェイト１６０の重量は、０グラム（チップウェイトがない実施形態では）、１グラム、２グラム、３グラム、４グラム、５グラム、６グラム、７グラム、８グラム、９グラム、１０グラム、１１グラム、１２グラム、１３グラム、１４グラム、１５グラム、１６グラム、１７グラム、又は１８グラムとすることができる。ほとんどの実施形態では、チップウェイト１６０は、０グラムから９グラムの範囲である。
【０１２３】
５）トウウェイト材料
トウウェイト１６１は、本体１１０、フェースプレート１５５、チップウェイト１６０、及びインサート１４０又は４４０の材料とは異なる材料を含むことができる。トウウェイト１６１は、タングステン又は任意の他の適切な金属又は金属合金材料等の高密度材料を含む。トウウェイト１６１材料の密度は、１４．０ｇ／ｃｃから１９．６ｇ／ｃｃの範囲とすることができる。幾つかの実施形態では、トウウェイト１６１材料の密度は、１４．０ｇ／ｃｃ、１４．２ｇ／ｃｃ、１４．４ｇ／ｃｃ、１４．６ｇ／ｃｃ、１４．８ｇ／ｃｃ、１５．０ｇ／ｃｃ、１５．２ｇ／ｃｃ、１５．４ｇ／ｃｃ、１５．６ｇ／ｃｃ、１５．８ｇ／ｃｃ、１６．０ｇ／ｃｃ、１６．２ｇ／ｃｃ、１６．４ｇ／ｃｃ、１６．６ｇ／ｃｃ、１６．８ｇ／ｃｃ、１７．０ｇ／ｃｃ、１７．２ｇ／ｃｃ、１７．４ｇ／ｃｃ、１７．６ｇ／ｃｃ、１７．８ｇ／ｃｃ、１８．０ｇ／ｃｃ、１８．２ｇ／ｃｃ、１８．４ｇ／ｃｃ、１８．６ｇ／ｃｃ、１８．８ｇ／ｃｃ、１９．０ｇ／ｃｃ、１９．２ｇ／ｃｃ、１９．４ｇ／ｃｃ、又は１９．６ｇ／ｃｃの範囲とすることができる。トウウェイト１６１の重量は、１０グラムから４０グラムの範囲とすることができる。幾つかの実施形態において、トウウェイト１６１の重量は、１０グラム、１１グラム、１２グラム、１３グラム、１４グラム、１５グラム、１６グラム、１７グラム、１８グラム、１９グラム、２０グラム、２１グラム、２２グラム、２３グラム、２４グラム、２５グラム、２６グラム、２７グラム、２８グラム、２９グラム、３０グラム、３１グラム、３２グラム、３３グラム、３４グラム、３５グラム、３６グラム、３７グラム、３８グラム、３９グラム、及び４０グラムとすることができる。幾つかの実施形態では、トウウェイト１６１の重量は、１２グラムから２６．５グラムの範囲とすることができる。
【０１２４】
６）トウスクリューウェイト材料
トウスクリューウェイト（スイングウェイト）は、チップウェイト又はトウウェイトの高密度材料と同様の任意の高密度材料を含むことができる。トウスクリュー材料の密度は、チップウェイト材料の密度と類似することができる。トウスクリューウェイトの重量は、上述したチップウェイトの重量と同様とすることができる。
【０１２５】
ＩＩ．リア開口を有するゴルフクラブヘッド
ここでは、ゴルフクラブヘッド６００を説明する。ゴルフクラブヘッド１００と同様に、ゴルフクラブヘッド６００は、上述したような寛容性を有するツアースタイルのゴルフクラブヘッドとすることができる。ゴルフクラブヘッド６００は、インサート６４０を収容するキャビティ６２０を有する本体６１０を備えることができる。ゴルフクラブヘッド６００は、フェースプレート６５５と、本体６１０と、インサート６４０とを備える。本体６１０は、上部６０８と、下部６０９と、ソール部６０７と、リア部６０３と、トップレール部６０６とを備える。リア部６０３は、屈曲継ぎ目６３０をさらに備えることができる。屈曲継ぎ目６３０は、ゴルフクラブヘッド６００の上部６０８と下部６０９との間の境界である。フェースプレート６５５及び本体の一部は、ゴルフクラブヘッドの打撃面６１１（打撃表面）を画定する。フェースプレート６５５、ソール部６０７、リア部６０３、及びトップレール部６０６は、キャビティ６２０を囲む。
【０１２６】
図１４〜２３は、ゴルフクラブヘッド１００と同様のゴルフクラブヘッド６００を示す。ゴルフクラブヘッド６００は、キャビティ６２０を形成する本体６１０と、フェースプレート６５５と、リア開口６８０と、キャビティ内の低密度インサート６４０とを備える。本体６１０は、上部６０８と、下部６０９と、ソール部６０７と、リア部６０３と、トップレール部６０６とを備える。リア部６０３は、屈曲継ぎ目６３０をさらに備えることができる。屈曲継ぎ目６３０は、ゴルフクラブヘッド６００の上部６０８と下部６０９との間の境界である。フェースプレート６５５及び本体６１０の一部は、ゴルフクラブヘッド６００の打撃面６１１（打撃表面）を画定する。
【０１２７】
本体６１０は本体１１０に類似している。フェースプレート６５５、ソール部６０７、及びリア部６０３は、ゴルフクラブヘッド６００の上部６０８にリア開口６８０を備えたキャビティ６２０を形成する。本体６１０のリア開口６８０は、キャビティ６２０を部分的に露出させる。組み立て後、インサート６４０は、リア部６０３の開口６８０を通して見える。本体６１０は、クラブヘッド１００について上述した窪み１４２と同様に、フェースプレート６５５を受け入れるための窪み６４２を本体６１０のフロント部６０４にさらに備える。
【０１２８】
インサート６４０は、キャビティ６２０内に収容されている。インサート６４０は、非金属又はポリマーベースの材料を含むことができる。インサート材料は、キャビティ６２０内にインサート６４０を形成するために、リア開口を通してゴルフクラブヘッド６００のキャビティ６２０内に注入されることができる。他の実施形態では、インサート６４０は、上述のインサート１４０と同様の金属材料を含むことができる。フェースプレート６５５は、ゴルフクラブヘッド６００のフロント部６０４でキャビティ６２０を囲む。フェースプレート６５５及び本体６１０のフロント部６０４は共に、打撃面６１１を画定する。
【０１２９】
ゴルフクラブヘッド６００は、ツアーアイアンクラブヘッドであり、１．８立方インチから２．７立方インチ（３０立方センチメートル（ｃｃ）から４５ｃｃ）の体積を有する。ゴルフクラブヘッド６００の本体６１０は、金属材料から鋳造又は鍛造することができる。
【０１３０】
インサート６４０は、低密度材料を含み、ゴルフクラブヘッド６００の本体６１０よって形成されたキャビティ６２０を充填する。ゴルフクラブヘッド６００の中心の質量を減少させることは、ゴルフクラブヘッド６００の慣性モーメント値を増加させるために、その周辺に余分な質量を集中させることを可能にする。上述のように、ゴルフクラブヘッド６００は、下部６０９及び上部６０８を備える。下部６０９は、上部６０８よりも大きい深さを備える。これにより、下部６０９は、周辺のヒール部６０２、トウ部６０１、及びソール部６０７に集中したより多くの質量を有する。本体６１０の質量を低くすることは、低いＣＧ６０をもたらし、これによって打ち上げ角を増加させ、スピンを減少させ、ボール速度を増加させる。上記で説明したように、周辺重み付けからの比較的高い慣性モーメントと、質量の低い位置に由来する低いＣＧとを有するツアーアイアンサイジングを結合するアイアンが、本技術分野で必要とされている。幾つかの実施形態では、ホーゼル内に配置されたチップウェイト６６０及び／又は本体６１０のトウキャビティ６１４内に配置されたトウウェイト６６１は、付加的な周辺重み付けを提供する。幾つかの実施形態では、本体６１０のトウスクリューウェイトキャビティ６６３（スイングウェイトキャビティ）内に配置されたトウスクリューウェイト６６２（スイングウェイト）は、付加的な周辺重み付けを提供する。
【０１３１】
ゴルフクラブヘッド６００は、ゴルフクラブヘッド１００と同じ基準面及び軸で説明することができる。グランド面１０、ロフト面２０、中心面４５、中心点８０、前縁軸３５、前縁面、ｘ軸３０、ｙ軸４０、ｚ軸５０、及びホーゼル軸７０の定義は、ゴルフクラブヘッド１００の場合と同様に、ゴルフクラブヘッド６００の場合と変わらない。
【０１３２】
Ａ.ゴルフクラブヘッドの部分
図１５及び図１６で上述し、図示したように、本体６１０は、少なくとも上部６０８、下部６０９、ソール部６０７、トップレール部６０６、リア部６０３、フロント部６０４、トウ部６０１、ヒール部６０２、及びホーゼル６０５とを備え、そのそれぞれは、上部１０８、下部１０９、ソール部１０７、トップレール部１０６、リア部１０３、フロント部１０４、トウ部１０１、ヒール部１０２、及びゴルフクラブヘッド１００のホーゼル１０５と同様である。幾つかの実施形態において、本体６１０のフロント開口にわたってフェースプレート６５５は溶接又は加締められている。
【０１３３】
本体６１０は、ゴルフクラブヘッド１００の屈曲継ぎ目１３０及びリア外形と類似する、屈曲継ぎ目６３０及びリア外形を備える。上部及び下部６０８、６０９の高さ、上部及び下部６０８、６０９の深さ、及びリア部６０３の厚さは、ゴルフクラブヘッド１００の上部及び下部１０８、１０９の高さ、上部及び下部１０８、１０９の深さ、及びリア部１０３の厚さに類似している。
【０１３４】
本体６１０は、本体６１０のリア部に開口壁６８２をさらに備える。開口壁６８２は、リア開口６８０を画定する。本体６１０のリア開口６８０は、屈曲継ぎ目６３０の上方であるクラブヘッド６００の上部６０８に位置する。上部６０８全体内のリア開口６８０の位置と連動する上部６０８の均一な深さは、開口６８０を取り囲む平坦な表面を可能にする。本体６１０の開口壁６８２（リア開口６８０）の全ての側面では、ゴルフクラブヘッド６００の外面は平面である。この平坦な表面は、以下でさらに説明するように、製造中にキャビティ６２０内へインサート材料を注入する間に、リア開口６８０の周りに密閉性を提供するために必要である。
【０１３５】
リア開口６８０の大きさを識別するために、ロフト面２０に平行な、リア部６０３（ホーゼル６０５あるいはソール部６０７を含まない）の投影面積を取ることができる。リア部６０３の投影面積は、開口壁６８２によって外接される投影面積と比較され得る。開口壁６８２は、クラブヘッド６００のリア部６０３の投影面積の２５％から５０％の範囲の面積と外接する（リア開口が覆う）。幾つかの実施形態では、開口壁６８２は、２５％から３０％、２５％から３５％、３０％から４０％、３５％から４５％、４０％から５０％、又は４５％から５０％の範囲でリア領域の割合を囲むことができる。他の実施形態では、開口壁６８２は、リア領域の２５％、２６％、２７％、２８％、２９％、３０％、３１％、３２％、３３％、３４％、３５％、３６％、３７％、３８％、３９％、４０％、４１％、４２％、４３％、４４％、４５％、４４６％、４７％、４８％、４９％、又は５０％の割合を囲むことができる。
【０１３６】
幾つかの実施形態において、インサート６４０は、リア開口６８０を通して見える。幾つかの実施形態では、インサートの１０％から６０％の範囲を、リア開口６８０を通して見ることができる。幾つかの実施形態では、インサート６４０の１０％から２０％、１５％から２５％、２０％から３０％、２５％から３５％、３０％から４０％、３５％から４５％、４０％から５０％、４５％から５５％、又は５０％から６０％の範囲を、リア開口６８０を通して見ることができる。図示していないが、幾つかの実施形態では、バッジが、リア開口６８０の上に配置される。これらの実施形態では、バッジは、インサートの１０％から６０％の範囲を覆うことができる。幾つかの実施形態では、バッジは、インサート６４０の１０％から２０％、１５％から２５％、２０％から３０％、２５％から３５％、３０％から４０％、３５％から４５％、４０％から５０％、４５％から５５％、又は５０％から６０％の範囲を覆うことができる。
【０１３７】
リア開口６８０を画定する開口壁６８２を備えたリア部６０３は、上部６０８の低い質量に寄与する。本体材料の密度よりも低い密度を有する材料でリア開口６８０を充填することにより、低いＣＧを有するゴルフクラブヘッド６００が得られる。上部６０８の質量を小さくすることは、ＣＧを下げ、かつ、ゴルフクラブヘッドの寛容性を向上させるために重量を周囲に分配することを可能にする。種々の設計パラメータは、上部の低質量に寄与し得る。ゴルフクラブヘッド１００について上述したように、均一な上部深さを保つことは、上部６０８の低質量にも寄与する。
【０１３８】
本体６１０を形成するために使用される材料は、一般に、インサート６４０の材料よりも高い密度を有するので、開口壁６８２によって囲まれたリア部本体６１０の部分をインサート材料で置き換えることによって、上部６０８の質量を低減することができる。本体材料からのみ形成された中実のリア部を有する同様のゴルフクラブヘッドと比較すると、ゴルフクラブヘッド６００は、リア開口６８０のために、より低いＣＧを備える。開口６８０の投影面積割合及びインサート材料の密度は、１グラムから１７グラムの範囲で、上部６０８の質量を減少させることができる。幾つかの実施形態では、上部６０８の質量は、１グラムから３グラム、３グラムから５グラム、５グラムから７グラム、７グラムから９グラム、９グラムから１１グラム、１１グラムから１３グラム、１３グラムから１５グラム、又は１５グラムから１７グラムの範囲で減少させることができる。他の実施形態では、上部６０８の質量は、１グラム、２グラム、３グラム、４グラム、５グラム、６グラム、７グラム、８グラム、９グラム、１０グラム、１１グラム、１２グラム、１３グラム、１４グラム、１５グラム、１６グラム、又は１７グラム減少させることができる。本体６１０の上部１０８の質量のこの減少は、ＣＧの低下、打ち上げ及びスピン特性の向上、及びボール速度の増加を補助する。
【０１３９】
ゴルフクラブヘッド６００の本体６１０は、キャビティ６２０を画定する。本体６１０のキャビティ６２０は、ツアーアイアンの好ましい固い感覚を犠牲にすることなく、ゴルフクラブヘッド６００のＭＯＩを増大させる低密度インサート６４０を受け入れるように構成することができる。キャビティ６２０の領域、容積、及び外形は、キャビティ１２０の領域、容積、及び外形と同様である。キャビティ６２０の前面開口に隣接して、本体６１０は、ゴルフクラブヘッド１００の内周縁１２７と同様の内周縁６２７を備える。ソール部６０７、トップレール部６０６、リア部６０３、内周縁６２７、及びフェースプレート６５５は、キャビティ６２０を画定する。キャビティ６２０は、本体６１０のリア開口６８０に接続し、フェースプレート６５５によって本体６１０のフロント部６０４で囲まれている。キャビティ６２０は、本体６１０のリア部６０３のリア開口６８０を通して露出される。
【０１４０】
Ｂ．ゴルフクラブヘッドのインサート
インサート６４０は、ＭＯＩを増大させ、ゴルフクラブヘッド６００の中実な感触を保持するために、本体６１０のキャビティ６２０内に嵌合するように構成される。インサート６４０の体積は、ゴルフクラブヘッド１００のインサート１４０の体積と同様とすることができる。幾つかの実施形態では、インサート６４０は、キャビティ６２０を越えてリア開口６８０内に延びるので、インサート６４０の体積は、キャビティ６２０の容積よりも大きくすることができる。
【０１４１】
インサート６４０は、ゴルフクラブヘッド１００について上述したように、キャビティ６２０を完全に充填するか、又は部分的に充填する。インサート６４０は、ゴルフクラブヘッド１００について説明したように、キャビティ６２０の体積パーセント（ａ  ｐｅｒｃｅｎｔ  ｖｏｌｕｍｅ）を充填することができる。幾つかの実施形態では、図１９に示すように、インサート６４０は、キャビティ６２０の１００％を満たし、リア開口６８０内に延びることができる。図２０に示すように、インサート６４０は、キャビティ６２０の６０％を充填することができる。図２１に示すように、インサート６４０は、キャビティ６２０の７０％を充填し、リア開口６８０内に部分的に延びることができる。図２２に示すように、インサート６４０は、キャビティ６２０の８０％を充填し、リア開口６８０内に部分的に延びることができる。図２３に示すように、インサート６４０は、キャビティ６２０の９０％を満たし、リア開口６８０内に部分的に延びることができる。図示していないが、幾つかの実施形態において、インサート６４０は、キャビティ６２０のみを充填し、リア開口６８０を充填しなくてもよい。幾つかの実施形態では、インサート６４０は、金属材料を含むことができ、キャビティ６２０のみを充填することができる。この例示的な実施形態では、図示されていないが、本体６１０の開口壁６８２は、インサート６４０内に融合するようにテーパー状とすることができ、リア開口６８０のためのより明確でない境界を提供する。
【０１４２】
幾つかの実施形態では、インサート６４０は、以下に記載されるように、ゴルフクラブヘッド６００に挿入される前に形成される。他の実施形態では、インサート６４０は、本体６１０のキャビティ６２０内に形成される。これらの実施形態では、リア開口６８０を形成する開口壁６８２は、後述するように、インサート６４０がキャビティ６２０内に注入されるためのポートとして機能することができる。
【０１４３】
Ｃ．本体のキャビティ
本体キャビティ６２０のフロント面は、フェースプレート６５５によって囲むことができる。フェースプレート６５５及び打撃面６１１は、ゴルフクラブヘッド１００のフェースプレート１５５及び打撃面６１１と同様とすることができる。しかしながら、幾つかの実施形態では、打撃面６１１は、本体６１０と一体的に形成することができる。打撃面６１１は、ゴルフクラブヘッド１００の打撃面１１１の厚さ１１２と同様の厚さ６１２を備える。
【０１４４】
本体６１０は、インサート６４０によって部分的又は完全に充填され、そのインサートはフェースプレート６５５によってゴルフクラブヘッド６００内に固定される。幾つかの実施形態では、キャビティ６２０は、ゴルフクラブヘッド１００のテープ層１５０及び／又は接着剤と同様に、テープ層１５０及び／又は接着剤をさらに収容する。
【０１４５】
幾つかの実施形態では、ゴルフクラブヘッド６００は、ゴルフクラブヘッド１００のシャフトチップウェイト１６０と同様のシャフトチップウェイト６６０をさらに備える。幾つかの実施形態では、本体６１０は、ゴルフクラブヘッド１００のトウキャビティ１１４及びトウウェイト１６１と同様に、トウウェイト６６１を収容するトウキャビティ６１４をさらに備える。ゴルフクラブヘッド６００は、図１７及び１８に示すように、スイングウェイトを調整するためのトウスクリューキャビティ６６３及びトウスクリューウェイト６６２をさらに備えることができる。トウスクリューウェイトは、ゴルフクラブヘッド１００の任意のトウスクリューウェイトについて記載されているように、２グラムから１５グラムの範囲の重量を備えることができる。トウスクリューウェイト６６２は、ゴルファーのスイングに合わせてゴルフクラブヘッド６００をカスタマイズするために、取り外し、異なる重量値を有する異なるスクリューウェイト６６２と交換することができる。
【０１４６】
Ｄ．リア開口型クラブヘッド本体の材料
ゴルフクラブヘッド６００の構成要素を形成するために使用される材料は、上述のように、ゴルフクラブヘッド１００の構成要素を形成するために使用される材料と同様であり得る。特に、本体６１０は、本体１１０と同じ本体材料を含むことができる。インサート６４０は、インサート１４０と同じインサート材料を含むことができる。フェースプレート６５５は、フェースプレート１５５と同じフェースプレート材料を含むことができる。トウウェイト６６１、チップウェイト６６０、及びトウスクリューウェイト６６２は、ゴルフクラブヘッド１００と同じトウウェイト１６１、チップウェイト１６０、及びトウスクリューウェイト材料を含むことができる。
【０１４７】
ＩＩＩ．ゴルフクラブヘッド特性
Ａ．ゴルフクラブヘッド測定
ゴルフクラブヘッド１００、６００は、ツアーアイアンであることができる。本明細書に記載されるゴルフクラブヘッド１００、６００は、ブレード長さと、ホーゼル−Ｘ長さと、オフセット距離と、ツアーアイアンの上部深さ特性とを備えるツアーアイアンヘッドであり得る。
【０１４８】
図２に示すように、ゴルフクラブヘッド１００はブレード長さ１７３を有する。ブレード長さ１７３は、ヒール領域１０２内の打撃面１１１の縁からトウ領域１０１内のクラブヘッド１００の縁までの最大距離として測定される。一般的なツアーアイアンのブレード長さは、２．８インチ未満とすることができる。ゲームインプルーブメントアイアンのブレード長さは、一般に２．８インチより大きい。ゴルフクラブヘッド１００のブレード長さ１７３は、ツアーアイアンの特徴であるように、２．８インチ未満である。幾つかの実施形態では、ゴルフクラブヘッド１００のブレード長さ１７３は、２．２インチから２．８インチ、２．２インチから２．４インチ、２．４インチから２．６インチ、又は２．６インチから２．８インチの範囲とすることができる。
【０１４９】
図２に示すように、ホーゼル−Ｘ長さ１７４は、中心面４５から、ホーゼル軸７０と前縁軸３５との交点まで測定される。ツアーアイアンのホーゼル?Ｘ長さは、一般に１．５インチ未満であり、ゲームインプルーブメントアイアンのホーゼル?Ｘ長さは、一般に１．５インチより大きい。ゴルフクラブヘッド１００のホーゼル?Ｘ長さは、ツアーアイアンの特徴であるように、１．５インチ未満である。幾つかの実施形態では、ホーゼル−Ｘ長さ１７４は、１．３０インチから１．５０インチ、１．３０インチから１．４０インチ、又は１．４０インチから１．５０インチの範囲とすることができる。
【０１５０】
図４に図示されているように、オフセット距離１７３は、ホーゼル１０５の前縁からゴルフクラブヘッド１００の最前の点までの間で測定される。典型的には、最前の点は、打撃面１１１の底部に位置し、ソール部１０７に隣接している。オフセット距離１７２は、ロフト角が異なるために、同じセット内のゴルフクラブヘッドによって変化し得る。従って、アイアンのセットを比較するために、セット内のすべてのゴルフクラブのオフセット距離１７３の平均が取られる。ツアーアイアンセットの平均オフセットは、一般に０．１４０インチ未満である。ゲームインプルーブメントアイアンセットの平均オフセットは、一般に、０．１４０インチより大きい。クラブヘッド１００と同様のゴルフクラブヘッドを含むゴルフクラブのセットの平均オフセットは、０．１４０インチ未満である。単一のゴルフクラブヘッド１００のオフセット距離１７２は、０．１００インチから０．１６０インチの範囲とすることができる。幾つかの実施形態では、オフセット距離は、０．１００インチから０．１１０インチ、０．１１０インチから０．１２０インチ、０．１２０インチから０．１３０インチ、０．１３０インチから０．１４０インチ、０．１４０インチから０．１５０インチ、又は０．１５０インチから０．１６０インチの範囲とすることができる。
【０１５１】
上部深さ１１６は、図４に示すように、トップレール部１０６に隣接し、打撃面１１１に直交して、フロント部１０４からリア部１０３まで測定される。ツアーアイアンの平均上部深さは、一般に０．２９０インチ未満である。ゲームインプルーブメントアイアンの平均上部深さは、一般に、０．２９０インチより大きい。ゴルフクラブヘッド１００と同様のゴルフクラブヘッドを含むゴルフクラブのセットの平均上部深さは、ツアーアイアンのセットの特徴であるように、０．２９０インチ未満である。
【０１５２】
ゲームインプルーブメントアイアンとツアーアイアンの間に類似したパラメータは、ゴルフクラブヘッドの高さである。図２に示すように、ゴルフクラブヘッド１００はそれぞれ、前縁軸３５からトップレール部１０６上の最高点まで、ロフト面２０に沿って測定された最大高さ１７５を有することができる。ゴルフクラブヘッド６００は、ゴルフクラブヘッド１００と同様の高さを有することができる。最大高さ１７５は、２．０インチから２．５インチとの範囲とすることができる。幾つかの実施形態では、最大高さ１７５は、２．０インチから２．１インチ、２．１インチから２．２インチ、２．２インチから２．３インチ、２．３インチから２．４インチ、及び２．４インチから２．５インチの範囲とすることができる。
【０１５３】
以下の表Ｉは、ゲームインプルーブメントアイアンとツアーアイアンのブレード長さ、ホーゼル−Ｘ長さ、平均オフセット距離、平均上部深さ、及び最大高さを比較する。
【０１５４】
【表Ｉ】
2021514730.tif 000003
【０１５５】
Ｂ．ゴルフクラブヘッドのＣＧ及びＭＯＩ
ゴルフクラブヘッド１００の周辺重み付けの利点を正確に理解するために、ゴルフクラブヘッド１００のＭＯＩ及びＣＧ特性とゴルフクラブヘッド１００のツアーサイズの両方を考慮しなければならない。ゲームインプルーブメントアイアンはＭＯＩ値が高いことで知られているが、ツアーアイアンに特有の他の特徴を欠いている。本明細書に記載されるゴルフクラブは、ゲームインプルーブメントアイアンの利点をツアーアイアンスタイルと結びつける。
【０１５６】
幾つかの実施形態では、ゴルフクラブヘッド１００、６００のＣＧ６０は、フラットバックツアーアイアンと比較して、下方及び後方に移動された。ゴルフクラブヘッド１００のＣＧ６０位置は、前縁面から測定することもできる。
【０１５７】
ゴルフクラブヘッド１００、６００のＣＧ６０は、０．３８０インチから０．６７０インチの範囲で前縁面より上方に位置することができる。幾つかの実施形態では、ゴルフクラブヘッド１００、６００のＣＧ６０は、０．４００インチから０．６５０インチ、０．３８０インチから０．４００インチ、０．４００インチから０．４２０インチ、０．４２０インチから０．４４０インチ、０．４４０インチから０．４６０インチ、０．４６０インチから０．４８０インチ、０．４８０インチから０．５００インチ、０．５００インチから０．５２０インチ、０．５２０インチから０．５４０インチ、０．５４０インチから０．５６０インチ、０．５６０インチから０．５８０インチ、０．５８０インチから０．６００インチ、０．６００インチから０．６２０インチ、０．６２０インチから０．６４０インチ、０．６４０インチから０．６６０インチ、又は０．６６０インチから０．６７０インチの範囲で前縁面より上方に位置することができる。他の実施形態では、ＣＧ６０は、０．３８０インチ、０．３９０インチ、０．４００インチ、０．４１０インチ、０．４２０インチ、０．４３０インチ、０．４４０インチ、０．４５０インチ、０．４６０インチ、０．４７０インチ、０．４８０インチ、０．４９０インチ、０．５００インチ、０．５１０インチ、０．５２０インチ、０．５３０インチ、０．５４０インチ、０．５５０インチ、０．５６０インチ、０．５７０インチ、０．５８０インチ、０．５９０インチ、０．６００インチ、０．６１０インチ、０．６２０インチ、０．６３０インチ、０．６４０インチ、０．６５０インチ、０．６６０インチ、又は０．６７０インチの範囲で前縁面より上方に位置することができる。
【０１５８】
上述のように、本明細書に記載のゴルフクラブヘッド１００及び６００は、ゴルフクラブヘッドの中心に軽量インサート１４０、４４０、及び６４０を備えることができる。これらの重量は、ゴルフクラブヘッド１００、６００の全重量を大きく変えることなく、ゴルフクラブヘッド１００及び６００の周囲に加えることができ、ＣＧ６０の移動及びＭＯＩの上昇を可能にする。この周辺重み付けは、トウウェイト、チップウェイト、又は周辺部の周りに追加された本体材料の形態であってもよい。ゴルフクラブヘッド１００及び６００のコンパクトな性質は、構造特性よりもＭＯＩ向上においてより大きな役割を果たす材料特性をもたらす。上述のように、ＣＧ６０の周り及びｘ軸３０の周りのＭＯＩ、Ｉｘｘは、７８グラム平方インチから１２０グラム平方インチの範囲とすることができる。ＣＧ６０の周り及びｙ軸４０の周りのＭＯＩ、Ｉｙｙは、３１０グラム平方インチから４６６グラム平方インチの範囲とすることができる。これらのＭＯＩ値は、ゴルフクラブヘッド１００及び６００に適用することができる。これらのＭＯＩ値は、インサート１４０、６４０、又は多材料インサート４４０を有する任意の実施形態にさらに適用することができる。
【０１５９】
ＩＶ．方法
図２４に示されるように、ゴルフクラブヘッド１００を製造する方法５００が本明細書に記載される。この方法は、各構成要素を提供するステップ５１０と、本体内にインサートを配置するステップ５２０と、フェースプレートを本体上に加締めるステップ５３０と、フェースプレートと本体との間の境界をレーザー溶接するステップ５４０と、研削及び研磨を通して最終製品を清掃するステップ５５０とを含む。方法５００の幾つかの実施形態では、方法５００は、ステップ５１０、５２０、５３０、５４０及び５５０からなることができる。
【０１６０】
ステップ５１０は、ゴルフクラブヘッド１００の構成要素として、少なくとも本体１１０、インサート１４０又は多材料インサート４４０、及びフェースプレート１５５を提供することを含むことができる。幾つかの実施形態では、本体１１０を提供することは、鍛造、鋳造、付加的製造による成形、機械加工、又は本体１１０を形成するための任意の他の適切な方法のうちの一つ又は複数を含むことができる。ステップ５１０は、本体１１０を一体部品として形成することを含むことができる。
【０１６１】
幾つかの実施形態では、インサート１４０を提供することは、鍛造、鋳造、付加的製造による成形、機械加工、又はインサート１４０を形成するための任意の他の適切な方法のうちの一つ又は複数を含むことができる。幾つかの実施形態では、インサート１４０又は多材料インサート４４０の一部は、エラストマーマトリックス複合体を形成するために、樹脂を繊維強化構造に注ぐことによって成形される。インサート１４０は、均一な密度を有する単一片として、又は異なる密度を有する複数片として形成することができる。多材料インサート４４０を有する幾つかの実施形態では、インサート４４０は、単一ユニットに形成されてもよいし、あるいは二つの別個の部分でキャビティ１２０内に配置されてもよい。
【０１６２】
幾つかの実施形態では、多材料インサート４４０を提供することは、（１）インサート４４０の第１の部分４５０を提供すること、（２）インサート４４０の第２の部分４６０を提供すること、及び（３）インサート４４０の第１及び第２の部分４５０、４６０を接合することとを含む。インサート４４０の第１の部分４５０を提供することは、第１の部分４５０を成形することを含むことができる。インサート４４０の第２の部分４６０を提供することは、鋳造、鍛造、スタンピング、ダイカスト、又は第２の部分４６０を提供する他の手段を含むことができる。幾つかの実施形態では、第１の部分４５０が成形され、第２の部分４６０に接合される場合、（１）第２の部分４６０を提供するサブステップ、及び（２）第１の部分４５０及び第２の部分４６０を接合するサブステップは、組み合わされる。幾つかの実施形態では、インサート４４０は、ゴルフクラブヘッド１００のキャビティ１２０に挿入される前に、研磨（ｓａｎｄｅｄ）、研削、又は研磨（ｐｏｌｉｓｈｅｄ）されてもよい。
【０１６３】
幾つかの実施形態では、フェースプレート１５５を形成することは、鍛造、鋳造、機械加工、付加的製造による形成、又は他の方法でフェースプレート１５５を形成することを含むことができる。幾つかの実施形態では、フェースプレート１５５を形成することは、フェースプレート１５５内に可変厚さの幾何形状を、機械加工、鋳造、又は鍛造することを含むことができる。
【０１６４】
幾つかの実施形態では、方法５００のステップ５１０は、トウウェイト、チップウェイト、及び／又はトウスクリューウェイトを提供することをさらに含むことができる。これらの実施形態では、ステップ５１０は、トウウェイト１６１を本体１１０のトウキャビティ１１４に溶接するステップをさらに含む。他の実施形態では、トウウェイト１６１は、本体６１０上に加締め（スエージ加工）、接着、又は他の方法で固定することができる。トウスクリューウェイトをさらに備えるゴルフクラブヘッド１００の実施形態では、トウスクリューウェイトは、ステップ５１０、５２０、５３０、又は５５０で、ゴルフクラブヘッドにねじ込まれることができる。
【０１６５】
方法５００のステップ５２０は、インサート１４０を本体１１０のキャビティ１２０内に配置することを含む。インサート１４０は、本体１１０のフロント部１０４でキャビティ１２０の前部開口を通して挿入される。幾つかの実施形態では、このステップ５２０は、エポキシ等の接着剤を本体１１０のキャビティ１２０及びインサート１４０に塗布して、インサート１４０を本体１１０内に固定することを含む。幾つかの実施形態では、このステップ５２０は、インサート１４０をキャビティ内に配置する前に、テープ層１５０等の一つ以上のテープ層をキャビティ１２０に適用することを含む。テープ層１５０等の一つ又は複数のテープ層は、インサート１４０と本体１１０のキャビティ１２０との間に強固で耐久性のある結合を形成することができる。さらに、テープの使用は、がたつき及び他の望ましくない品質問題の可能性を低減することができる。幾つかの実施形態では、インサート１４０を本体１１０に固定する様々な他の方法が、最大限の安全性のために組み合わされる。方法５００の全ての実施形態が、インサート１４０をキャビティ１２０内に接着又は固定することを必要とするわけではない。
【０１６６】
方法５００のステップ５３０は、フェースプレート１５５を本体１１０上に固定することを含む。フェースプレート１５５は、窪み１４２内に配置される。フェースプレート１５５を窪み１４２内に配置することによって、フェースプレート１５５は、本体１１０のインサート１４０及びキャビティ１２０を覆うように配置される。ステップ５３０は、フェースプレート１５５が本体１１０のフロント部１０４上の窪み１４２に埋め込まれるように、フェースプレート１５５を本体１１０上に加締める（スエージする）工程をさらに含むことができる。このようにして、インサート１４０は、ゴルフクラブヘッド１００内に保持され、ゴルフクラブヘッド１００の外側から完全に隔離される。他の実施形態では、フェースプレート１５５は、本体に接着されるか、圧入されるか、又は他の方法で固定される。
【０１６７】
ゴルフクラブヘッドの中には、共鍛造（統合鍛造としても知られる）、及び高温・高印加圧力による個々の鋳造部品の接合を含む方法によって製造されるものがある。これらの方法は、任意のインサートを含むゴルフクラブヘッドの複数の構成要素に影響を及ぼす高温を適用する。例えば、共鍛造プロセスは、７００℃から１０００℃の範囲の温度で行われる。一部のアルミニウム合金の融点は６５０℃から６８０℃の範囲に下がる。従って、アルミニウムインサートの場合、共鍛造は、アルミニウム材料の完全性を損なうことになる。インサート１４０、４４０、本体１１０、及びフェースプレート１５５は、共鍛造によってインサート１４０、４４０を損なう可能性のある高温に至る可能性があるため、一緒に共鍛造されない。
【０１６８】
さらに、フェースプレートをゴルフクラブヘッドにＴＩＧ溶接することによっても、ゴルフクラブヘッドに高温が付与され、これによってインサートが損なわれる可能性がある。アイアンタイプゴルフクラブヘッドの低密度中心のための可能な材料は、従来の製造プロセスのために著しく制限される。ゴルフクラブヘッド１００は、製造プロセスが最終組立を高温下に置かないので、多種多様なインサート材料で製造することができる。さらに、熱可塑性複合材料のような、本明細書に記載された幾つかのインサート材料は、絶対に金属本体材料と共鍛造することができない。本明細書に記載される製造方法５００は、インサート１４０、４４０が、材料が本体１１０と共鍛造されることを必要とせずに、任意の適切な材料から形成されることを可能にする。
【０１６９】
後述するステップ５３０及びステップ５４０は、いずれも、インサート１４０をキャビティ１２０に封入するために、フェースプレート１５５を固定する低熱方法を採用する。フェースプレート１５５を加締め、レーザー溶接、及び他の低温方法は、音響特性、感触、及び重み付けを微調整するために、インサート１４０又は４４０が多種多様な材料を含むことを可能にする。ステップ５３０及び５４０のローヘッド方法は、望ましくないがたつき及び振動を低減するために、キャビティ１２０の周りに接着剤及び／又はテープを使用する等、設計の融通性をさらに可能にする。
【０１７０】
ステップ５４０は、フェースプレート１５５と本体１１０との間の境界をレーザー溶接するステップを含む。ステップ５４０のプロセスは、表面融着処理とも呼ばれる。フェースプレート１５５がステップ５３０で本体１１０上に加締められた後、フェースプレート１５５と本体１１０との間の重複領域又は境界がレーザー溶接される。このレーザー溶接プロセスは、深い熱影響部（以下、「ＨＡＺ」という）を作ることなく、フェースプレート１５５と本体１１０の金属材料を融合する。境界をレーザー溶接することにより、フェースプレート１５５と本体１１０との間の任意の亀裂又は継ぎ目が除去される。幾つかの実施形態では、ゴルフクラブヘッド１００は、以下に記載されるように、ステップ５５０においてコーティングで仕上げられる。仮に境界に微小な亀裂や継ぎ目があると、コーティングが継ぎ目に浸透し、品質問題を引き起こす可能性がある。ステップ５４０で境界をレーザー溶接することにより、この製造上の問題が解消される。
【０１７１】
上述のステップ５４０は、ＨＡＺ深さが０．０３インチから０．０８インチの範囲であり、フェースプレート１５５の厚さ１１２よりも小さくできるためで、キャビティ１２０内の材料の完全性を損なうことなく実施することができる。幾つかの実施形態では、ＨＡＺ深さは、０．０８インチ未満、０．０７インチ未満、０．０６インチ未満、０．０５インチ未満、０．０４インチ未満、又は０．０３インチ未満とすることができる。幾つかの実施形態では、ＨＡＺ深さは、０．０３インチ、０．０４インチ、０．０５インチ、０．０６インチ、０．０７インチ、又は０．０８インチとすることができる。レーザー溶接は、インサート及びテープ層のような他のキャビティ充填材を、インサート材料の溶融温度よりも低い温度に加熱する。ステップ５４０の間にゴルフクラブヘッド１００に与えられる熱は、キャビティ１２０内に密閉される材料のいずれも損なわない。
【０１７２】
方法５００のステップ５５０において、ゴルフクラブヘッド１００は、研削及び研磨を通して清掃される。研削は、ゴルフクラブヘッド１００の打撃面１１１上に滑らかな表面を形成するために用いられる。さらに、このステップ５５０は、研削後にゴルフクラブヘッド１００の表面を研磨することを含んでもよい。幾つかの実施形態においては、溝をフェースプレート１５５の打撃面１１１に研磨し、その後打撃面１１１を研磨する。製造方法５００におけるどのステップも、異なる材料との共鍛造を含まない。
【０１７３】
図２５に示すように、ゴルフクラブヘッド１００と同様に、ゴルフクラブヘッドを製造する方法７００は、少なくとも本体６１０、インサート材料、フェースプレート６５５を提供すること、フェースプレート６５５を本体６１０に溶接又は加締めること、インサート材料を本体６１０のキャビティ６２０に注入すること、及びゴルフクラブヘッド６００を研磨及び清掃することを含む。
【０１７４】
ステップ７１０において、本体６１０は、鍛造、鋳造、又は付加的製造によって形成することができる。フェースプレート６５５は、鍛造、鋳造、又は付加的製造によって形成することができる。製造プロセス７００の一変形例では、フェースプレート６５５は、フェースプレート６５５として別個に形成されるのではなく、本体６１０の一部として一体的に形成され、本体６１０の前面開口に溶接されるか、又は加締められる。幾つかの実施形態では、方法７００のステップ７１０は、トウウェイト６６１、チップウェイト６６０、及び／又はトウスクリューウェイト６６２を提供することをさらに含む。これらの実施形態では、ステップ７１０は、トウウェイト６６１を本体６１０のトウキャビティ６１４に溶接することをさらに含む。他の実施形態では、トウウェイト６６１は、本体６１０上に加締め（スエージ加工）、接着、又は他の方法で固定することができる。トウスクリューウェイト６６２をさらに備えるゴルフクラブヘッド６００の実施形態では、トウスクリューウェイト６６２は、ステップ７１０、７２０、７３０、又は７５０でゴルフクラブヘッドにねじ込まれることができる。
【０１７５】
さらに、方法７００のステップ７１０において、リア開口６８０を画定する開口壁６８２は、本体６１０に形成されてもよく、又は本体６１０が形成された後に本体６１０のリア部６０３に切り込まれてもよい。ステップ７１０は、リア部６０３の開口壁６８２を研磨又は仕上げるステップをさらに含むことができる。
【０１７６】
ステップ７２０は、本体の窪み６４２内にフェースプレート６５５を配置することを含む。フェースプレート６５５は、溶接、加締め（スエージ加工）、又はその他の方法で本体６１０に固定される。本体６１０及びフェースプレート６５５は、キャビティ６２０を形成する。フェースプレート６５５が本体６１０に固定された後、キャビティ６２０への唯一の開口は、図１４〜２３の実施形態について示されるように、本体６１０のリア開口６８０である。幾つかの実施形態では、方法７００のステップ７２０は、上記の方法５００のステップ５４０で説明したものと同様の、レーザー溶接又は表面融着処理プロセスをさらに含むことができる。
【０１７７】
ステップ７３０において、インサート材料は、液体の形態で、リア部の開口６８０を通してキャビティ６２０内に注入される。本体６１０のキャビティ６２０は、射出された材料のための型として機能する。幾つかの実施形態では、射出成形プロセスは、インサート材料をキャビティ６２０の表面に結合させる。加圧下でキャビティ６２０内に材料を注入するために、注入装置は、リア開口６８０の口を塞がなければならない。ゴルフクラブヘッド６００の上部６０８におけるリア開口６８０を囲む平面表面は、注入装置とゴルフクラブヘッド６００の本体６１０との間が良好に密閉されることを可能にする。幾つかの実施形態では、インサート６４０がキャビティ６２０を部分的にのみ充填する場合、注入装置は、材料がキャビティ６２０全体を充填することを防止するために、キャビティ６２０の一部をさらに密閉するように構成される。
【０１７８】
方法７００のステップ７４０では、ゴルフクラブヘッド６００は、研削及び研磨によって清掃される。研削は、ゴルフクラブヘッド６００の打撃面６１１上に滑らかな表面を形成するために使用される。さらに、このステップ７４０は、研削後にゴルフクラブヘッド６００の表面を研磨することを含んでもよい。幾つかの実施形態において、溝をフェースプレート６５５の打撃面６１１に研磨し、その後打撃面６１１を研磨する。
【０１７９】
ゴルフクラブヘッド６００の幾つかの実施形態を製造する方法は、上述の方法７００よりも方法５００により類似している。幾つかの実施形態では、ゴルフクラブヘッド６００が金属インサート６４０を備えるゴルフクラブヘッド６００を形成する方法は、フェースプレート６５５上に加締める前に、キャビティ６２０にインサート６４０を配置することを必要とする。
【０１８０】
Ｖ．例
例１：ゴルフクラブヘッドの測定
ゴルフクラブヘッド１００は、上述のように、幾つかの異なるパラメータを用いて測定された。ブレード長さ１７３、ホーゼル−Ｘ長さ１７４、オフセット距離１７２、上部深さ１１６、及び最大高さ１７５が含まれていた。これらの値をゲームインプルーブメントアイアンと比較し、両方を下記の表ＩＩに示す。測定されたゴルフクラブヘッド１００及びゲームインプルーブメントアイアンは、いずれも７アイアンであり、ほぼ同等のロフト角を有していた。
【０１８１】
【表ＩＩ】
2021514730.tif 000004
【０１８２】
例２：慣性モーメント（ＭＯＩ）比較及び重心（ＣＧ）比較
従来のツアーアイアンヘッドのＭＯＩを上述のゴルフクラブヘッド１００と比較するために試験を行った。この比較試験で使用される従来のツアーアイアンヘッドは、サンプルゴルフクラブヘッドとサイズ及びヘッド重量が同一である。従って、この試験は、従来のツアーアイアンヘッドに対するサンプルの性能の正確な比較を提供するために、ＭＯＩを変数として分離した。この試験は、サンプルクラブヘッドについて約１０８グラム平方インチのＩｘｘ値、及び従来のツアーアイアンヘッドについて約１０３グラム平方インチのＩｘｘ値を生じた。従って、ｘ軸３０の周りのＭＯＩは、サンプルクラブヘッドにおいて約４．８％高い。この試験は、サンプルクラブヘッドについてはおよそ４１３グラム平方インチのＩｙｙ値を、従来のツアーアイアンヘッドについてはおよそ３９８グラム平方インチのＩｙｙ値を生じた。従って、ｙ軸４０の周りのＭＯＩは、サンプルクラブヘッドにおいて約３．７％高い。この試験は、ゴルフクラブヘッド１００用の軽量インサートが、ゴルフクラブヘッド１００のサイズ又は重量を変えることなく、ＭＯＩの向上を提供することを示す。
【０１８３】
さらに、（１）リア部に開口部を有し、ＴＰＣから形成されたインサートを有するゴルフクラブヘッド６００に類似したアイアン、（２）リア部に開口部を有し、アルミニウムから形成されたインサートを有するゴルフクラブヘッド６００に類似したアイアン、（３）ＴＰＣインサートで充填された密閉キャビティを有するゴルフクラブヘッド１００に類似したアイアン、（４）アルミニウムインサートで充填された密閉キャビティを有するゴルフクラブヘッド１００に類似したアイアン、及び（５）本明細書に記載されたゴルフクラブヘッドに類似した全体的なクラブヘッド容積を有する中実鋼クラブヘッド、の５つのクラブヘッド間で比較を行った。測定は、各ゴルフクラブヘッドのコンピュータ支援設計（ＣＡＤ）モデルを用いて行った。以下の表ＩＩＩは、収集されたＭＯＩデータを集約する。以下の表ＩＶは、収集されたＣＧデータを集約する。
【０１８４】
【表ＩＩＩ】
2021514730.tif 000005
【０１８５】
ＭＯＩは、ＣＧからの距離及び質量の関数であるので、ＭＯＩは、ゴルフクラブヘッドの全体質量の変化を反映する。従って、クラブヘッドのＭＯＩを正確に比較するためには、ゴルフクラブヘッドの総質量の差異を考慮しなければならない。比較されるゴルフクラブヘッドに渡るＭＯＩの効率を示すために、ＭＯＩをゴルフクラブヘッドの質量で割って、ＭＯＩ効率値に到達した。ゴルフクラブヘッドのＭＯＩ効率値は、ゴルフクラブヘッドの構造及び局所的な重み付けがどのようにＭＯＩに影響を及ぼすかを示すために、質量とは無関係に比較することができる。従って、ｘ軸３０及びｙ軸４０方向の両方におけるＭＯＩ値は、低密度インサートゴルフクラブヘッド（１）から（４）よりも中実鋼ゴルフクラブヘッド（５）の方が高かったが、中実鋼ゴルフクラブヘッド（５）のＭＯＩ効率は、ゴルフクラブヘッド（１）から（４）のＭＯＩ効率よりも低かった。従って、低密度インサートを有するゴルフクラブヘッド（１）から（４）は、本明細書に記載のゴルフクラブヘッド１００、６００の低密度インサート１４０、４４０、４６０を欠くゴルフクラブヘッドよりも寛容である。
【０１８６】
表ＩＩＩから分かるように、低密度インサートを有するゴルフクラブヘッド（１）から（４）は、中実鋼ゴルフクラブヘッド（５）よりも５．９％から１１．２％の範囲で高いｘ軸３０方向におけるＭＯＩ効率を有する。表ＩＩＩから分かるように、低密度インサートを有するクラブヘッド（１）から（４）は、中実鋼ゴルフクラブヘッド（５）より８．５％から１５．５％高いｙ軸４０方向におけるＭＯＩ効率を有する。
【０１８７】
ＭＯＩを増加させることに加えて、ＣＧを低下させることはまた、ゴルフクラブヘッド性能に有益であり得る。本明細書に記載されるゴルフクラブヘッド１００、６００は、ゴルフクラブヘッド１００及び６００と同様の形状を有する同等の中実鋼よりも低いＣＧ６０を備える。より低いＣＧは、ＣＧがより低い場合にショットを形成するのがより容易であるため、ツアーアイアンにおいて望ましい。ゴルフクラブヘッド６００の場合、ＣＧの低下は、部分的には、リア部６０３に開口６８０を含めることによる高密度本体材料の排除によるものである。
【０１８８】
【表ＩＶ】
2021514730.tif 000006
【０１８９】
図１を参照すると、ＣＧｙは、前縁軸３５からｙ軸４０方向（垂直）及び上方に測定される。ＣＧｘ値が正の場合には、ＣＧがヒール部１０２により近くなるように、ＣＧｘは、ｙ軸４０を原点として、前縁軸３５に沿って水平に測定される。ＣＧｚは、前縁軸３５からｚ軸５０に水平方向に沿って、後方へ測定される。ＣＧｙ値は、ゴルフクラブヘッド（３）〜（５）よりもゴルフクラブヘッド（１）及び（２）の方が低い。これは、本体のリア部に開口部を有するゴルフクラブヘッド（上述のゴルフクラブヘッド６００と同様）は、好ましいより低いＣＧを有することを示す。ＣＧは、鋼クラブヘッド（５）よりもクラブヘッド（２）の方が２．０６％低い。ＣＧは、鋼ゴルフクラブヘッド（５）よりもゴルフクラブヘッド（１）の方が２．８４％低く、低密度ＴＰＣインサートが、そのアルミニウムインサートの対応物（ゴルフクラブヘッド（２））よりもはるかに良好なＣＧ配置をもたらすことを示している。
【０１９０】
表ＩＩＩ及びＩＶにおける比較データは、密閉キャビティ実施形態及びリア開口実施形態の強度をさらに示す。本発明のすべての実施形態（比較ゴルフクラブヘッド（１）から（４））は、中実クラブヘッド（５）を上回る改善を示すが、密閉キャビティ実施形態（比較ゴルフクラブヘッド（３）及び（４））及びリア開口実施形態（比較ゴルフクラブヘッド（１）及び（２））の両方は、固有の利点を提供する。比較データは、表ＩＩＩのＭＯＩ効率に示されるように、ｘ軸３０方向及びｙ軸４０方向の両方におけるＭＯＩ効率が、密閉キャビティクラブヘッド（３）及び（４）において、クラブヘッド（１）、（２）及び（５）におけるＭＯＩ効率よりも高いことを示す。これは、本明細書に記載のゴルフクラブヘッド１００又は比較クラブヘッド（３）及び（４）と同様の密閉キャビティ実施形態が、ゴルフクラブヘッド６００又は比較クラブヘッド（１）及び（２）等のリア部に開口を有する実施形態よりも寛容であることを示唆する。しかしながら、本体６１０にリア開口６８０を有する実施形態は、表ＩＶのＣＧｙ欄に示されるように、密閉キャビティを有する実施形態よりも低いＣＧ値を有する。
【０１９１】
例３：重力中心フラットバック対屈曲継ぎ目比較
ＭＯＩ及び感触に加えて、ゴルフクラブヘッドのＣＧの位置が性能に影響を及ぼす。特に、ＣＧ位置は、ゴルフボールとの衝突時にゴルフクラブヘッドに与えられるトルクの量に影響を及ぼす。ＣＧを下げることによって、ゴルフボールが典型的には打撃面の下部で打たれるので、ゴルフボールによって加えられる力とＣＧとの間のアームが小さくなる。この付加された力とＣＧとの間の短縮されたアームは、低いトルクをもたらし、ゴルフボールとの衝突時の打ち上げ特性を向上する。従って、ゴルファーに最良の可能な体験を提供するために、本明細書に記載のゴルフクラブヘッドは、低いＣＧを備える。
【０１９２】
ゴルフクラブヘッド１００、６００の上部１０８、６０８の均一な深さがどのようにして下方ＣＧ６０につながるかを示すために、ゴルフクラブヘッド１００及び６００と同様のゴルフクラブヘッドと、そのトップレール部からそのソール部まで様々な深さを有する比較ゴルフクラブヘッドとの間で比較を行った。比較ゴルフクラブヘッドは、そのトップレール部からそのソール部まで延びる平坦なリア部を有する。正確な説明を提供するために、１００及び６００と同様の比較ゴルフクラブヘッド及びゴルフクラブヘッドは、両方とも同じ総質量でモデル化された。比較の結果を以下の表Ｖに説明する。
【０１９３】
【表Ｖ】
2021514730.tif 000007
【０１９４】
表Ｖに示されるように、垂直なｙ軸４０に沿って測定されるＣＧｙ値は、１００及び６００と同様のゴルフクラブヘッドについて有意に低い。具体的には、１００及び６００と同様のゴルフクラブヘッドは、比較ゴルフクラブヘッドよりも０．０３９インチ低いＣＧｙを備える。これは、屈曲継ぎ目１３０、６３０より上の上部１０８、６０８の均一な深さが、ＣＧを下げ、より良い打ち上げ特性及びスピン特性、及びより高いボール速度を提供することを示す。
【０１９５】
さらに、ＣＧｚ値は、ｚ軸５０に沿って測定され、ＣＧ６０の後方は負であり、ＣＧ６０の前方は正である。１００及び６００に類似するゴルフクラブヘッドのＣＧ６０は、ゴルフクラブヘッドのフロント部により近い。
【０１９６】
例４：感触と音
ツアーアイアンの魅力の一部は、コンパクトな輪郭と滑らかな美的設計である。さらに、鍛造ゴルフクラブヘッドは、多くのゴルファーに鋳造クラブヘッドよりも優れていると認識される。従って、ツアーアイアンがこれらの期待を満足させることが重要である。ゴルファーは、特に、他のタイプのアイアンに比べて、鍛造ツアーアイアンの音と感触を楽しむ。ゴルフにおいて、ゴルフクラブヘッドの「感触」は、ゴルファーが知覚するように、ゴルファーの業績において大きな役割を果たす。「感触」は、一般に、重量、材料、音響、及び打撃面の厚さによって影響される。多くのゴルファーは、ツアーアイアンが、他の多くのタイプのアイアンにはない中実な感触を提供することに同意する。本明細書に記載されるゴルフクラブヘッドは、既存のツアーアイアンを超えないとしても等しい中実な感触及び音響品質を示す。
【０１９７】
本明細書に記載のゴルフクラブヘッド１００と同様のゴルフクラブヘッドを有するサンプルツアーアイアンの感触を定量化するために、調査が行われた。２０人のゴルファーが調査に参加し、サンプルアイアンとの経験を、従来のツアーアイアンとの経験と比較した。サンプルアイアンと従来のアイアンの両方を使用した後、調査参加者は、各アイアンについて以下の質問を受けた。「このアイアンが提供する衝突体験（感触／音）にどの程度満足しているか。」大多数のプレーヤーは、従来のツアーアイアンよりもサンプルツアーアイアンの衝突体験を好んだ。
【０１９８】
最後に、アイアンの品質と耐久性は、持続的な性能にとって極めて重要である。打撃面１１１及び６１１は、単独で、ゴルフボールを打つことによりその上に置かれる応力に耐えるように設計される。しかしながら、熱可塑性複合インサート１４０、６４０、完全金属インサート１４０、６４０、又は多材料インサート４４０を含めることにより、ゴルフクラブヘッドに付加的に中実な感触が与えられ、同様の中空本体ゴルフクラブヘッドよりもゴルフクラブヘッドの音響品質が向上される。フェースプレート１５５、６５５は、インサート１４０、６４０が常にゴルフクラブヘッドの内側に固定されたままであることを確実にすることによって、ゴルフクラブヘッドの品質及び耐久性を向上することができる。
【０１９９】
ＣＧ配置、ＭＯＩのための周辺重み付け、及びツアーアイアン外観及び感触を組み合わせ、釣り合いをとることによって、本明細書に記載されるゴルフクラブヘッド１００、６００は、ゲームインプルーブメントアイアンの信頼性をツアーアイアンの上品さと結びつける、アイアン型クラブヘッドに対する当技術分野での需要を満たす。
【０２００】
本明細書に記載のゴルフクラブヘッド１００及び６００は、ツアータイプゴルフクラブヘッドとして機能する。それらは、一般的なゲームインプルーブメントアイアンよりも小さいままで、高いＭＯＩを提供する。これらの多材料ゴルフクラブヘッド１００及び６００は、非常に寛容で小型の製品を提供する。
【０２０１】
図１〜２３は、ゴルフクラブヘッドの特定の実施形態を示すが、実施形態の開示は、本開示の範囲を例示することを意図しており、限定することを意図していない。本開示の範囲は、添付の特許請求の範囲によって要求される範囲に限定されることが意図されている。
【０２０２】
ゴルフに対する規則は、変更される可能性があるので（例えば、新しい規則が採用され、又は古い規則がゴルフ標準組織及び／又は支配団体によって排除又は修正される可能性がある）、本明細書中に記載される方法、装置、及び／又は製品に関連するゴルフ用具は、ある特定の時代におけるゴルフの規則に適合する場合もあるし、適合しない場合もある。従って、本明細書に記載される方法、装置、及び／又は製品に関連するゴルフ用具は、適合又は不適合ゴルフ用具として宣伝され、販売の申し出がされ、及び／又は販売される可能性がある。本明細書に記載される方法、装置、及び／又は製品は、この点に関して限定されない。
【０２０３】
一つあるいは複数の特許請求されている要素の置換は、再構成を構成し、修理を構成しない。加えて、効果、他の利点、及び課題に対する解決策が特定の実施形態に関して記載されてきた。しかしながら、効果、利点、課題に対する解決策、及び任意の利益、利点、又は解決策を生じさせるか、又はより顕著にすることができる任意の一つあるいは複数の要素は、そのような利益、利点、解決策、又は要素がそのような請求項に記載されていない限り、請求項のいずれか又はすべてに重要な、必要な、又は本質的な特徴又は要素として解釈されるべきではない。
【０２０４】
さらに、本明細書に開示する実施形態及び限定事項は、実施形態及び／又は限定事項が、（１）請求項に明示的に記載されておらず、かつ（２）均等論に基づいて請求項における表現要素及び／又は限定事項の均等物となる、又は均等物となる可能性のある場合には、寄与論に基づいて公衆に寄与されるものとはならない。
【０２０５】
項目１：
ゴルフクラブヘッドであって、
フェースプレートと、
上部、下部、ソール部、リア部、及びトップレール部を備える本体と、
インサートと、
を備え、
フェースプレート及び本体の一部は、ゴルフクラブヘッドの打撃面を画定し、
フェースプレート、ソール部、リア部、及びトップレール部は、キャビティを囲み、
リア部は、屈曲継ぎ目を備え、
ソール部は、グランド面と接し、
ロフト面は、フェースプレートに対して接線方向であり、グランド面と交差し、
中心面は、グランド面に垂直であり、ロフト面に垂直であり、打撃面の中心点と一致し、
上部は、トップレール部と屈曲継ぎ目とによって境界付けられ、
上部は、ロフト面に平行な方向において、トップレール部から屈曲継ぎ目まで、中心面に沿って測定される高さを含み、
下部は、ロフト面に平行な方向において、ソール部から屈曲継ぎ目まで、中心面に沿って測定される高さを含み、
上部の高さと下部の高さは、９：８から６：１１の範囲の比を有し、
上部は第１の深さを含み、下部は第２の深さを含み、これらの深さは、打撃面からリア部の外側面まで、中心面に沿って、ロフト面に対して垂直に測定され、
第１の深さは、一定であり、第２の深さより小さく、
ソール部、リア部、トップレール部、及びフェースプレートは、キャビティを囲み、
インサートは、キャビティ内に受け入れられ、インサートは、キャビティの９０％以上を占め、
フェースプレートは、第１の密度を有する第１の材料を含み、
本体は、第２の密度を有する第２の材料を含み、
インサートは、第３の密度を有する第３の材料を含み、
第３の密度は、第１の密度及び第２の密度よりも小さい、
ゴルフクラブヘッド。
【０２０６】
項目２：
ゴルフクラブヘッドは、さらに、
ヒール部と、
トウ部と、
ヒール部からトウ部方向へ延在し、打撃面に対して平行であり、クラブヘッドの重心と一致するｘ軸と、
グランド面に直交し、重心と一致するｙ軸と、
を備え、
ｘ軸の周りで測定される慣性モーメントＩｘｘは、７８グラム平方インチから１２０グラム平方インチの範囲であり、
ｙ軸の周りで測定される慣性モーメントＩｙｙは、３１０グラム平方インチから４６６グラム平方インチの範囲である、
項目１に記載のゴルフクラブヘッド。
【０２０７】
項目３：
第３の密度は２．４ｇ／ｃｃから５．０ｇ／ｃｃの範囲である、
項目１に記載のゴルフクラブヘッド。
【０２０８】
項目４：
第３の材料は、アルミニウム及びチタンからなる群から選択される材料を含む、
項目３に記載のゴルフクラブヘッド。
【０２０９】
項目５：
第１の密度は２．６ｇ／ｃｃから８．７ｇ／ｃｃの範囲であり、第２の密度は７．７ｇ／ｃｃから８．１ｇ／ｃｃの範囲である、
項目１に記載のゴルフクラブヘッド。
【０２１０】
項目６：
第１の材料は、鋼ベース材料、チタンベース材料、アルミニウム合金、及びチタン合金からなる群から選択される材料を含み、
第２の材料は、鋼ベース材料及び鋼合金からなる群から選択される材料を含む、
項目５に記載のゴルフクラブヘッド。
【０２１１】
項目７：
ゴルフクラブヘッドは、さらに、
総質量と、
トウウェイトと、
を備え、
本体は、さらに、トウキャビティを備え、
トウキャビティは、トウウェイトを受け入れ、
トウウェイトは、クラブヘッドの総質量の５％から４５％の範囲の質量を含む、
項目１に記載のゴルフクラブヘッド。
【０２１２】
項目８：
第１の深さと第２の深さの最大値との比は、１：３から４：５の範囲である、
項目１に記載のゴルフクラブヘッド。
【０２１３】
項目９：
ゴルフクラブヘッドは、さらに、
重心と、
グランド面に平行であり、ヒール部からトウ部方向への方向に延在し、打撃面上で最も低い中心面上の点と一致する前縁軸と、
グランド面に平行であり、前縁軸と一致する前縁面と、
グランド面に直交し、重心と一致するｙ軸と、
を備え、
ゴルフクラブヘッドの重心は、０．３８０インチから０．６７０インチの範囲で前縁面より上方に位置する、
項目１に記載のゴルフクラブヘッド。
【０２１４】
項目１０：
ゴルフクラブヘッドは、さらに、
ヒール部と、
トウ部と、
本体に一体化された円筒形ホーゼルと、
を備え、
円筒形ホーゼルは、
トウ側面から見たときに、円筒形ホーゼルの前縁に平行なホーゼル基準面と、
円筒形ホーゼルの中心軸として定義されるホーゼル軸と、
グランド面に平行であり、ヒール部からトウ部への方向に延在し、打撃面上で最も低い中心面上の点と一致する前縁軸と、
正面から見たときに、前縁軸と中心面との交点から、前縁軸とホーゼル軸との交点まで測定されるホーゼル−Ｘ距離であって、１．５インチ未満であるホーゼル−Ｘ距離と、
前縁軸とホーゼル基準面との間の最小距離として測定されるオフセット距離であって、０．０５インチから０．２７インチの範囲であるオフセット距離と、
を備える、
項目１に記載のゴルフクラブヘッド。
【０２１５】
項目１１：
ゴルフクラブヘッドは、さらに、
ヒール部と、
トウ部と、
ヒール部からトウ部への方向において、ヒール部における打撃面の縁からトウ部の最外側の点まで測定されるブレード長さと、
を備え、
ブレード長さが２．８インチ未満である、
項目１に記載のゴルフクラブヘッド。
【０２１６】
項目１２：
ゴルフクラブヘッドは、インサートとフェースプレートとの間に配置される高密度テープを備える、
項目１に記載のゴルフクラブヘッド。
【０２１７】
項目１３：
本体は、窪みをさらに備え、
窪みはキャビティの周囲に当接し、
フェースプレートのリア面の領域は、前記インサートに接触し、
フェースプレートのリア面の残りの領域は、窪みに接触する、
項目１に記載のゴルフクラブヘッド。
【０２１８】
項目１４：
ゴルフクラブの製造方法であって、
（１）第１密度を有する第１の材料を含むフェースプレートを提供することと、
（２）第２密度を有する第２の材料と、上部と、下部と、ソール部と、リア部と、トップレール部と、を備える本体を提供することと、を含み、
フェースプレート及び本体の一部はゴルフクラブヘッドの打撃面を画定し、
リア部は、屈曲継ぎ目を備え、
ソール部は、グランド面と接し、
ロフト面は、フェースプレートに対して接線方向であり、グランド面と交差し、
中心面は、グランド面に垂直であり、トップレール部からソール部への方向に延在し、打撃面の中心点と一致し、
上部は、トップレール部と屈曲継ぎ目とによって境界付けられ、
上部は、ロフト面と平行な方向において、トップレール部から屈曲継ぎ目まで、中心面に沿って測定される高さを含み、
下部は、ロフト面と平行な方向において、ソール部から屈曲継ぎ目まで、中心面に沿って測定される高さを含み、
上部の高さと下部の高さは、９：８から６：１１の範囲の比を有し、
上部は第１の深さを含み、下部は第２の深さを含み、これらの深さは、打撃面からリア部面の外側面まで、中心面に沿って、ロフト面に対して垂直に測定され、
第１の深さは、一定であり、第２の深さより小さく、
ソール部、リア部、及びトップレール部は、キャビティを画定し、
製造方法は、さらに、
（３）第１の密度及び第２の密度より小さい第３の密度を有する第３の材料を含むインサートを提供することと、
（４）キャビティ内にインサートを配置することであって、インサートはキャビティの９０％以上を占める、配置することと、
（５）フェースプレートを本体に固定することであって、フェースプレートはキャビティをさらに画定する、固定することと、
を含む、
ゴルフクラブヘッドの製造方法。
【０２１９】
項目１５：
（５）におけるフェースプレートを本体に固定することは、
フェースプレートを本体上に加締める（ｓｗｅｄｇｉｎｇ）ことと、
フェースプレートと本体との境界をレーザー溶接することと、
を含む、
項目１４に記載のゴルフクラブヘッドの製造方法。
【０２２０】
項目１６：
フェースプレートと本体との境界をレーザー溶接することは、
０．０７０インチ未満の深さを含む熱影響部を生成することを含む、
項目１５に記載のゴルフクラブヘッドの製造方法。
【０２２１】
項目１７：
ゴルフクラブヘッドは、さらに、
ヒール部と、
トウ部と、
ヒール部からトウ部への方向に延在し、打撃面に対して平行であり、クラブヘッドの重心と一致するｘ軸と、
グランド面に直交し、重心と一致するｙ軸と、
を備え、
ｘ軸の周りで測定される慣性モーメントＩｘｘは、７８グラム平方インチから１２０グラム平方インチの範囲であり、
ｙ軸の周りで測定される慣性モーメントＩｙｙは、３１０グラム平方インチから４６６グラム平方インチの範囲である、
項目１５に記載のゴルフクラブヘッドの製造方法。
【０２２２】
項目１８：
製造方法は、さらに、
（４）と（５）との間に、インサート上にテープ層を配置することを含み、
テープ層は、（５）の完了時に、インサートとフェースプレートとの間に挟まれる、
項目１４に記載のゴルフクラブヘッドの製造方法。
【０２２３】
項目１９：
製造方法は、さらに、
本体に一体化された円筒形ホーゼルを形成することを含み、
ゴルフクラブヘッドは、さらに、
ヒール部と、
トウ部と、
を備え、
円筒形ホーゼルは、
トウ部側から見たときに、円筒形ホーゼルの前縁に平行なホーゼル基準面と、
円筒形ホーゼルの中心軸として定義されるホーゼル軸と、
グランド面に平行であり、ヒール部からトウ部への方向に延在し、打撃面上で最も低い中心面上の点と一致する前縁軸と、
正面から見たときに、前縁軸と中心面との交点から、前縁軸とホーゼル軸との交点まで測定されるホーゼル−Ｘ距離であって、１．５インチ未満であるホーゼル−Ｘ距離と、
前縁軸とホーゼル基準面との間の最小距離として測定されるオフセット距離であって、０．０５インチから０．２７インチの範囲であるオフセット距離と、
を備える、
項目１４に記載のゴルフクラブヘッドの製造方法。
【０２２４】
項目２０：
ゴルフクラブヘッドは、総質量を有し、
本体は、さらに、トウキャビティを備え、
製造方法は、さらに、
トウウェイトを形成することであって、トウウェイトはゴルフクラブヘッドの総質量の５％から４５％の範囲の質量を含む、形成することと、
トウウェイトをトウキャビティ内に固定することと、
を含む、
項目１４に記載のゴルフクラブヘッドの製造方法。
【０２２５】
項目２１：
ゴルフクラブヘッドは、
フェースプレートと、
上部、下部、ソール部、リア部、及びトップレールを備える本体と、
インサートと、
を備え、
フェースプレート及び本体の一部は、ゴルフクラブヘッドの打撃面を画定し、
フェースプレート、ソール部、リア部、及びトップレール部は、キャビティを囲み、
リア部は、屈曲継ぎ目を備え、
ソール部は、グランド面と接し、
ロフト面は、フェースプレートに対して接線方向であり、グランド面と交差し、
中心面は、グランド面に垂直であり、ロフト面に垂直であり、打撃面の中心点と一致し、
上部は、トップレール部と屈曲継ぎ目とにより境界付けられ、
上部は、ロフト面に平行な方向において、トップレール部から屈曲継ぎ目まで中心面に沿って測定される高さを含み、
下部は、ロフト面に平行な方向において、ソール部から屈曲継ぎ目まで中心面に沿って測定される高さを含み、
上部の高さと下部の高さは、９：８から６：１１の範囲の比を有し、
上部は第１の深さを含み、下部は第２の深さを含み、これらの深さは、打撃面からリア部の外側面まで、中心面に沿って、ロフト面に対して垂直に測定され、
第１の深さは、一定であり、第２の深さより小さく、
ソール部、リア部、トップレール部、及びフェースプレートは、キャビティを囲み、
インサートは、キャビティ内に受け入れられ、インサートは、キャビティの９０％以上を占め、
インサートは、第１の部分及び第２の部分を備え、
フェースプレートは、第１の密度を有する第１の材料を含み、
本体は、第２の密度を有する第２の材料を含み、
インサートの第１の部分は、第３の密度を有する第３の材料を含み、
インサートの第２の部分は、第４の密度を有する第４の材料を含み、
第３の密度は、第１の密度、第２の密度、及び第４の密度より小さい、
ゴルフクラブヘッド。
【０２２６】
項目２２：
インサートの第２の部分は、フェースプレートに接触しない、
項目２１に記載のゴルフクラブヘッド。
【０２２７】
項目２３：
インサートの第２の部分は、本体の下部に完全に位置する、
項目２２に記載のゴルフクラブヘッド。
【０２２８】
項目２４：
第４の密度は、第１及び第２の密度よりも大きい、
項目２１に記載のゴルフクラブヘッド。
【０２２９】
項目２５：
第１の深さと第２の深さの最大値との比は、１：３から４：５の範囲である、
項目２１に記載のゴルフクラブヘッド。
【０２３０】
項目２６：
ゴルフクラブヘッドは、さらに、
重心と、
グランド面に平行であり、ヒール部からトウ部への方向に延在し、打撃面上で最も低い中心面上の点と一致する前縁軸と、
グランド面に平行であり、前縁軸と一致する前縁面と、
グランド面に直交し、重心と一致するy軸と、
を備え、
ゴルフクラブヘッドの重心は、０．３８０インチから０．６７０インチの範囲で前縁面より上方に位置する、
項目２１に記載のゴルフクラブヘッド。
【０２３１】
項目２７：
ゴルフクラブヘッドは、さらに、
ヒール部と、
トウ部と、
本体に一体化された円筒形ホーゼルと、
を備え、
円筒形ホーゼルは、
トウ側面から見たときに、円筒形ホーゼルの前縁に平行なホーゼル基準面と、
円筒形ホーゼルの中心軸として定義されるホーゼル軸と、
グランド面に平行であり、ヒール部からトウ部への方向に延在し、打撃面上で最も低い中心面上の点と一致する前縁軸と、
正面から見たときに、前縁軸と中心面との交点から、前縁軸とホーゼル軸との交点まで測定されるホーゼル−Ｘ距離であって、１．５インチ未満であるホーゼル−Ｘ距離と、
前縁軸とホーゼル基準面との間の最小距離として測定されるオフセット距離であって、０．０５インチから０．２７インチの範囲であるオフセット距離と、
を備える、
項目２１に記載のゴルフクラブヘッド。
【０２３２】
項目２８：
ゴルフクラブヘッドは、さらに、
ヒール部と、
トウ部と、
ヒール部からトウ部への方向において、ヒール部における打撃面の縁からトウ部の最外側の点まで測定されるブレード長さと、
を備え、
ブレード長さは２．８インチ未満である、
項目２１に記載のゴルフクラブヘッド。
【０２３３】
項目２９：
ゴルフクラブヘッドは、インサートとフェースプレートとの間に配置された高密度テープをさらに備える、
項目２１に記載のゴルフクラブヘッド。
【０２３４】
項目３０：
第１の深さは０．２９０インチ未満である、
項目２１に記載のゴルフクラブヘッド。
【０２３５】
項目３１：
第３の密度は２．４ｇ／ｃｃから５．０ｇ／ｃｃの範囲である、
項目２１に記載のゴルフクラブヘッド。
【０２３６】
項目３２：
第３の材料は、アルミニウム及びチタンからなる群から選択される材料を含み、
第４の材料は、タングステンを含む、
項目３１に記載のゴルフクラブヘッド。
【０２３７】
項目３３：
ゴルフクラブヘッドは、さらに、
総質量と、
トウウェイトと、
を備え、
本体は、さらに、トウキャビティを備え、
トウキャビティは、トウウェイトを受け入れ、
トウウェイトは、クラブヘッドの総質量の５％から４５％の範囲の質量を含む、
項目２１に記載のゴルフクラブヘッド。
【０２３８】
項目３４：
ゴルフクラブヘッドは、さらに、
ヒール部と、
トウ部と、
ヒール部からトウ部への方向に延在し、打撃面に対して平行であり、クラブヘッドの重心と一致するｘ軸と、
グランド面に直交し、重心と一致するｙ軸と、
を備え、
ｘ軸の周りで測定される慣性モーメントＩｘｘは、７８グラム平方インチから１２０グラム平方インチの範囲であり、
ｙ軸の周りで測定される慣性モーメントＩｙｙは、３１０グラム平方インチから４６６グラム平方インチの範囲である、
項目２１に記載のゴルフクラブヘッド。
【０２３９】
項目３５：
ゴルフクラブヘッドの製造方法であって、
（１）第１の密度を有する第１の材料を含むフェースプレートを提供することと、
（２）第２の密度を有する第２の材料と、上部と、下部と、ソール部と、リア部と、トップレールと、を備える本体を提供することと、を含み、
フェースプレート及び本体の一部はゴルフクラブヘッドの打撃面を画定し、
リア部は、屈曲継ぎ目を備え、
ソール部は、グランド面と接し、
ロフト面は、フェースプレートに対して接線方向であり、グランド面と交差し、
中心面は、グランド面に垂直であり、トップレール部からソール部への方向に延在し、打撃面の中心点と一致し、
上部は、トップレールと屈曲継ぎ目とによって境界付けられ、
上部は、ロフト面に平行な方向において、トップレール部から屈曲継ぎ目まで、中心面に沿って測定される高さを含み、
下部は、ロフト面に平行な方向において、ソール部から屈曲継ぎ目まで、中心面に沿って測定される高さを含み、
上部の高さと下部の高さは、１：１から２：１の範囲の比を有し、
上部の高さは第１の深さを含み、下部の高さは、第２の深さを含み、これらの深さは、打撃面からリア部の外側面まで、中心面に沿って、ロフト面に対して垂直に測定され、
第１の深さは、一定であり、第２の深さよりも小さく、
ソール部、リア部、及びトップレール部は、キャビティを画定し、
製造方法は、さらに、
（３）第１の部分及び第２の部分を含むインサートを提供することであって、第１の部分は、第３の密度を有する第３の材料を含み、第２の部分は、第４の密度を有する第４の材料を含み、第３の密度は、第１の密度、第２の密度、及び第４の密度未満である、提供することと、
（４）キャビティ内にインサートを固定することであって、インサートはキャビティの９０％以上を占める、固定することと、
（５）フェースプレートを本体に固定することであって、フェースプレートはキャビティをさらに画定する、固定することと、
を含む、
ゴルフクラブヘッドの製造方法。
【０２４０】
項目３６：
（５）におけるフェースプレートを本体に固定することは、
フェースプレートを本体上に加締める（ｓｗｅｄｇｉｎｇ）ことと、
フェースプレートと本体との境界を熱処理（又はレーザー溶接）することと、
を含む、
項目３５に記載のゴルフクラブヘッドの製造方法。
【０２４１】
項目３７：
フェースプレートと本体との境界をレーザー溶接することは、
０．０７０インチ未満の深さを含む熱影響部を生成することを含む、
項目３５に記載のゴルフクラブヘッドの製造方法。
【０２４２】
項目３８：
ゴルフクラブヘッドは、さらに、
ヒール部と、
トウ部と、
ヒール部からトウ部への方向に延在し、打撃面に対して平行であり、クラブヘッドの重心と一致するｘ軸と、
グランド面に直交し、重心と一致するｙ軸と、
を備え、
ｘ軸の周りで測定される慣性モーメントＩｘｘは、７８グラム平方インチから１２０グラム平方インチの範囲であり、
ｙ軸の周りで測定される慣性モーメントＩｙｙは、３１０グラム平方インチから４６６グラム平方インチの範囲である、
項目３５に記載のゴルフクラブヘッドの製造方法。
【０２４３】
項目３９：
製造方法は、さらに、
（４）と（５）との間に、インサート上にテープ層を配置することを含み、
テープ層は、（５）の完了時に、インサートとフェースプレートとの間に挟まれる、
項目３５に記載のゴルフクラブヘッドの製造方法。
【０２４４】
項目４０：
インサートの第１の部分及び第２の部分は、（４）の前に一体的に形成される、
項目３５に記載のゴルフクラブヘッドの製造方法。
【０２４５】
項目４１：
ゴルフクラブヘッドであって、
フェースプレートと、
上部、下部、ソール部、リア部、及びトップレール部を備える本体と、
インサートと、
を備え、
フェースプレート及び本体の一部は、ゴルフクラブヘッドの打撃面を画定し、
フェースプレート、ソール部、リア部、及びトップレール部は、キャビティを囲み、
リア部は、屈曲継ぎ目と、開口部を画定する壁と、を備え、
開口壁は、屈曲継ぎ目の上方にあり、トップレール部に隣接する上部壁と、屈曲継ぎ目に隣接する底部壁と、トウ部壁と、ヒール部壁と、を備え、
ソール部は、グランド面と接し、
ロフト面は、フェースプレートに対して接線方向であり、グランド面と交差し、
中心面は、ロフト面に垂直であり、グランド面に垂直であり、打撃面の中心点と一致し、
ロフト面に対して平行に取られた開口部の投影面積は、２５％から５０％のリア部全体の投影面積を有し、
上部は、トップレール部と屈曲継ぎ目とにより境界付けられ、
上部は、ロフト面に平行な方向において、トップレール部から屈曲継ぎ目まで、中心面に沿って測定される高さを含み、
下部は、ロフト面に平行な方向において、ソール部から屈曲継ぎ目まで、中心面に沿って測定される高さを含み、
上部の高さと下部の高さは、１：１から２：１の範囲の比を有し、
上部は第１の深さを含み、下部は第２の深さを含み、これらの深さは、打撃面からリア部の外側面まで、中心面に沿って、ロフト面に対して垂直に測定され、
第１の深さは、一定であり、第２の深さより小さく、
ソール部、リア部、トップレール部、及びフェースプレートは、キャビティを囲み、
インサートは、キャビティ内に受け入れられ、インサートはキャビティの９０％以下を占め、
フェースプレートは、第１の密度を有する第１の材料を含み、
本体は、第２の密度を有する第２の材料を含み、
インサートは、第３の密度を有する第３の材料を含み、
第３の密度は、第１及び第２の密度よりも小さい、
ゴルフクラブヘッド。
【図１】
2021514730.tif 000008
【図２】
2021514730.tif 000009
【図３】
2021514730.tif 000010
【図４】
2021514730.tif 000011
【図５】
2021514730.tif 000012
【図６】
2021514730.tif 000013
【図７】
2021514730.tif 000014
【図８】
2021514730.tif 000015
【図９】
2021514730.tif 000016
【図１０】
2021514730.tif 000017
【図１１】
2021514730.tif 000018
【図１２】
2021514730.tif 000019
【図１３】
2021514730.tif 000020
【図１４】
2021514730.tif 000021
【図１５】
2021514730.tif 000022
【図１６】
2021514730.tif 000023
【図１７】
2021514730.tif 000024
【図１８】
2021514730.tif 000025
【図１９】
2021514730.tif 000026
【図２０】
2021514730.tif 000027
【図２１】
2021514730.tif 000028
【図２２】
2021514730.tif 000029
【図２３】
2021514730.tif 000030
【図２４】
2021514730.tif 000031
【図２５】
2021514730.tif 000032
【国際調査報告】
2021514730.tif 000033